(57)【特許請求の範囲】
【請求項１】
遊技球を通過可能にするように上方から下方へ長手中空状に構成してなる球通路装置において、
上方から空間部を通り落下する遊技球を受承する主案内通路部と、
当該主案内通路部に分岐壁部を介し並行に沿うように設けられて前記主案内通路部における受承遊技球の過剰に伴い当該過剰遊技球を前記主案内通路部から下方に向け案内するように受承する副案内通路部とを具備して、
前記主案内通路部は、
その２対の対向する壁部のうち前記分岐壁部の幅方向にて対向する両対向壁部の少なくとも１か所に、上方から落下する遊技球の落下方向を変更する突出部を設けてなり、
当該突出部は、前記分岐壁部から離れる方向に所定の傾斜角度にて下方に向けて傾斜してなり、
前記空間部は、その２対の対向する壁部のうち、前記分岐壁部に対向する壁部に、前記主案内通路部の受承遊技球を滞留させないように当該壁部の内側に向けて突出する段差壁部を形成してなることを特徴とする球通路装置。
【請求項２】
前記副案内通路部は、
その２対の対向する壁部のうち前記分岐壁部の幅方向にて対向する両対向壁部の少なくとも１か所に、上方から落下する遊技球の落下方向を変更する突出部を設けてなり、
当該突出部は、前記分岐壁部から前記主案内通路部の前記突出部とは反対方向へ離れるように所定の傾斜角度にて下方に向けて傾斜してなることを特徴とする請求項１に記載の球通路装置。
【請求項３】
前記突出部は、その傾斜方向長さにて、遊技球の外径の２倍よりも大きく３倍よりも小さい値に設定されていることを特徴とする請求項１または２に記載の球通路装置。
【請求項４】
前記段差壁部は、その下縁部にて、前記主案内通路部の前記突出部の下縁部よりも所定の高さだけ上方に位置するように前記空間部の前記分岐壁部に対向する前記壁部に形成されていることを特徴とする請求項１〜３のいずれか１つに記載の球通路装置。
【請求項５】
前記所定の高さは、前記突出部の前記傾斜方向長さ以上で当該傾斜方向長さと遊技球の外径との和以下の値に設定されてことを特徴とする請求項４に記載の球通路装置。
【請求項６】
前記段差壁部は、その突出端面にて、遊技球の外径の半分未満の厚さだけ、前記空間部の前記壁部の内面から前記分岐壁部側へ突出するように形成されていることを特徴とする請求項１〜５のいずれか１つに記載の球通路装置。
【請求項７】
遊技盤を本体枠に組み付けてなる遊技機本体と、
この遊技機本体に開閉可能に支持される前扉と、
前記本体枠の裏面側に設けられて複数の遊技球を貯留する球タンクと、
前記球タンクから上側球通路を介し供給される遊技球を払い出す球払い出し装置と、
前記本体枠或いは前記前扉の下部にその前面側へ突設される球受け皿と、
前記球払い出し装置と前記球受け皿との間にて前記球払い出し装置から払い出される遊技球を前記球受け皿に供給する請求項１〜６のいずれか１つに記載の球通路装置とを備える遊技機。
【発明の詳細な説明】
【技術分野】
【０００１】
本発明は、球通路装置及びこの球通路装置を備えた遊技機に関する。
【背景技術】
【０００２】
従来、この種の遊技機においては、下記特許文献１に記載のパチンコ遊技機が提案されている。当該パチンコ遊技機は、２列の球通路を有するパチンコ球整流装置を備えている。
【先行技術文献】
【特許文献】
【０００３】
【特許文献１】特開平９−１７３５６３号公報
【発明の概要】
【発明が解決しようとする課題】
【０００４】
ところで、上記パチンコ遊技機のパチンコ球整流装置によれば、各遊技球は、２列の球通路の各々により単にその通路方向に沿い案内されるにすぎない。これでは、２列の球通路の各々に進入する遊技球の数が多いと、これらの遊技球は、２列の球通路の各々内において球詰まりを発生して、上方へ滞留していくおそれがある。
【０００５】
そこで、本発明は、以上のようなことに対処するため、通路の構成に工夫を凝らし、多くの遊技球を、球詰まりや上方への滞留を招くことなく、円滑に案内するようにした球通路装置及びこの球通路装置を備えた遊技機を提供することを目的とする。
【課題を解決するための手段】
【０００６】
上記課題の解決にあたり、本発明に係る球通路装置は、請求項１の記載によれば、
遊技球を通過可能にするように上方から下方へ長手中空状に構成してなるものである。
【０００７】
当該球通路ユニットにおいて、
上方から空間部（Ａｂ）を通り落下する遊技球を受承する主案内通路部（Ａｃ）と、
当該主案内通路部に分岐壁部（９２ｅ）を介し並行に沿うように設けられて前記主案内通路部における受承遊技球の過剰に伴い当該過剰遊技球を前記主案内通路部から下方に向け案内するように受承する副案内通路部（Ａｄ）とを具備して、
前記主案内通路部は、
その２対の対向する壁部（９２ｃ、９２ｄ、９２ｆ、９２ｅ）のうち前記分岐壁部の幅方向にて対向する両対向壁部（９２ｃ、９２ｄ）の少なくとも１か所に、上方から落下する遊技球の落下方向を変更する突出部を設けてなり、
当該突出部は、前記分岐壁部から離れる方向に所定の傾斜角度にて下方に向けて傾斜してなり、
前記空間部は、その２対の対向する壁部のうち、前記分岐壁部に対向する壁部に、前記主案内通路部の受承遊技球を滞留させないように当該壁部の内側に向けて突出する段差壁部（９２ｚ）を形成してなることを特徴とする。
【０００８】
このような構成によれば、上方から空間部を通り落下する遊技球は、主案内通路部により受承される。このとき、上述のように落下する遊技球は、副案内通路部側へ分岐されることなく、主案内通路部により受承される。ここで、主案内通路部により受承される遊技球が多いと、これらの遊技球は、主案内通路部の突出部上に上方に向けて積み重なって滞留する。
【０００９】
これに対しては、上述のように段差壁部が空間部内にて突出されているため、空間部内にて主案内通路部の他側上湾曲壁部の下縁部上に積み重なって滞留する遊技球は、段差壁部により副案内通路部側へ押し出されるようにして崩されて当該副案内通路部内に分岐していく。
【００１０】
従って、空間部内に落下する遊技球は、当該空間部内にて球詰まりを生ずることなく、主案内通路部及び副案内通路部内に送られ得る。
【００１１】
ここで、主案内通路部においては、突出部が、上方から落下する遊技球の落下方向を変更するように、かつ、分岐壁部から離れる方向に所定の傾斜角度にて下方に向けて傾斜するように設けられている。
【００１２】
従って、上述のように主案内通路部に受承される遊技球は、主案内通路部内にて、突出部により落下方向を変更されつつ当該突出部に沿いその傾斜方向に移動しながら下方へ案内される。このことは、主案内通路部に受承される遊技球が多くても、当該遊技球は、突出部の上記形状のもと、上記所定の傾斜角度に基づき球詰まりを生ずることなく主案内通路部内にて円滑に案内されることを意味する。
【００１３】
以上によれば、多数の遊技球が球通路装置の内部に充満状態に滞留しても、当該球通路装置の下方で滞留している遊技球が、例えば、受け皿内の遊技球を抜くことで、下方へ移動すれば、空間部内に落下する遊技球が多くても、これら遊技球は、空間部内における段差壁部の球崩し作用に基づき、空間部内にて球詰まりを生ずることなく、主案内通路部及び副案内通路部に送られ、さらに、主案内通路部内に滞留している遊技球が、当該主案内通路部の内部においてその突出部の突出方向や傾斜方向に、球詰まりを生ずることなく、円滑に移動して下方へ案内され得る。なお、副案内通路部内に滞留している遊技球も下方へ案内され得る。
【００１４】
また、本発明は、請求項２の記載によれば、請求項１に記載の球通路装置において、
上記副案内通路部は、
その２対の対向する壁部（９２ｃ、９２ｄ、９２ｑ、９２ｅ）のうち上記分岐壁部の幅方向にて対向する両対向壁部（９２ｃ、９２ｄ）の少なくとも１か所に、上方から落下する遊技球の落下方向を変更する突出部を設けてなり、
当該突出部は、上記分岐壁部から上記主案内通路部の上記突出部とは反対方向へ離れるように所定の傾斜角度にて下方に向けて傾斜してなることを特徴とする。
【００１５】
このような構成によれば、主案内通路部に受承される遊技球が多くなると、各遊技球が、段差壁部の球崩し作用のもと副案内通路部内に進入する。
【００１６】
ここで、副案内通路部の突出部は、上方から落下する遊技球の落下方向を変更するように、かつ、分岐壁部から主案内通路部の突出部とは反対方向へ離れるように所定の傾斜角度にて下方に向けて傾斜するように設けられている。
【００１７】
従って、上述のように副案内通路部に進入する遊技球は、副案内通路部内にて、その突出部により落下方向を変更されつつその当該突出部の傾斜方向に移動しながら下方へ案内される。このことは、副案内通路部に分岐される遊技球が多くても、当該遊技球は、副案内通路部の突出部の形状のもと、上記所定の傾斜角度に基づき球詰まりを生ずることなく副案内通路部内にて円滑に案内されることを意味する。
【００１８】
このため、副案内通路部の上記構成のもと、当該副案内通路部内にても球詰まりを生ずることなく、円滑に下方へ案内されるとともに、副案内通路部により下方へ案内され得る。
【００１９】
これにより、多数の遊技球が球通路装置の内部に充満状態に滞留しても、当該球通路装置の下方で滞留している遊技球が、例えば、受け皿内の遊技球を抜くことで、下方へ移動すれば、空間部内に落下する遊技球が多くても、これら遊技球は、空間部内における段差壁部の球崩し作用に基づき、空間部内にて球詰まりを生ずることなく、主案内通路部及び副案内通路部に送られ、さらに、主案内通路部や副案内通路部の内部に滞留している遊技球が、主案内通路部の内部や副案内通路部の内部においてその突出部の形状や傾斜方向に、球詰まりを生ずることなく、円滑に移動して下方へ案内され得る。その結果、請求項１に記載の発明の作用効果がより一層向上され得る。
【００２０】
また、本発明は、請求項３の記載によれば、請求項１または２に記載の球通路装置において、上記突出部は、その傾斜方向長さにて、遊技球の外径の２倍よりも大きく３倍よりも小さい値に設定されていることを特徴とする。
【００２１】
これによれば、空間部内にて段差壁部により崩されることなく主案内通路部の上方に重なって存在する遊技球、及び空間部内にて段差壁部により崩されて副案内通路部に分岐する遊技球が、それぞれ、主案内通路部及び副案内通路部内において、上記所定の傾斜角度と相俟って、相互に球圧を受けることなく、傾斜状に円滑に移動することができる。その結果、請求項１または２に記載の発明の作用効果がより一層向上され得る。
【００２２】
また、本発明は、請求項４の記載によれば、請求項１〜３のいずれか１つに記載の球通路装置において、
上記段差壁部は、その下縁部（Ｚ１）にて、上記主案内通路部の上記突出部の下縁部よりも所定の高さだけ上方に位置するように上記空間部の上記分岐壁部に対向する前記壁部に形成されていることを特徴とする。
【００２３】
これにより、遊技球が空間部内において主案内通路部の他側上湾曲壁部の下縁部上に積み重なって滞留しても、当該遊技球のうち段差壁部の下縁部よりも上側に積み重なる遊技球は、段差壁部により副案内通路部側へ押し出されるようにして崩されて当該副案内通路部内に分岐していく。
【００２４】
従って、空間部内に落下する遊技球が、当該空間部内にて球詰まりを生ずることなく、主案内通路部及び副案内通路部内に送られて、当該主案内通路部及び副案内通路部により球詰まりを招くことなく下方へ良好に案内され得る。その結果、請求項１〜３のいずれか１つに記載の発明の作用効果がより一層向上され得る。
【００２５】
また、本発明は、請求項５の記載によれば、請求項４に記載の球通路装置において、
上記所定の高さは、上記突出部の上記傾斜方向長さ以上で当該傾斜方向長さと遊技球の外径との和以下の値に設定されてことを特徴とする。
【００２６】
これにより、請求項４に記載の発明の作用効果がより一層向上され得る。
【００２７】
また、本発明は、請求項６の記載によれば、請求項１〜５のいずれか１つに記載の球通路装置において、
上記段差壁部は、その突出端面（Ｚ２）にて、遊技球の外径の半分未満の厚さだけ、上記空間部の上記壁部の内面から上記分岐壁部側へ突出するように形成されていることを特徴とする。
【００２８】
これにより、上述のように段差壁部の下縁部よりも上側に積み重なる遊技球を、段差壁部により副案内通路部側へより一層確実に押し出して崩すことができ、その結果、請求項１〜５のいずれか１つに記載の発明の作用効果をより一層確実に達成し得る。
【００２９】
また、本発明に係る遊技機は、請求項７の記載によれば、
遊技盤（１０）を本体枠（ＢＦ）に組み付けてなる遊技機本体（Ｂａ）と、
この遊技機本体に開閉可能に支持される前扉（ＦＤ）と、
上記本体枠の裏面側に設けられて複数の遊技球を貯留する球タンク（６１）と、
上記球タンクから上側球通路（６１、６２）を介し供給される遊技球を払い出す球払い出し装置（７３）と、
上記本体枠或いは上記前扉の下部にその前面側へ突設される球受け皿（５１、５２）と、
上記球払い出し装置と上記球受け皿との間にて上記球払い出し装置から払い出される遊技球を上記球受け皿に供給する請求項１〜６のいずれか１つに記載の球通路装置（９０）とを備える。
【００３０】
これによれば、請求項１〜６のいずれか１つに記載の発明の作用効果を達成し得る遊技機の提供が可能となる。
【発明の効果】
【００３１】
本発明によれば、多数の遊技球が球通路装置の内部に充満状態に滞留しても、当該球通路装置の下方で滞留している遊技球が、例えば、受け皿内の遊技球を抜くことで、下方へ移動すれば、空間部内に落下する遊技球が多くても、これら遊技球は、空間部内における段差壁部の球崩し作用に基づき、空間部内にて球詰まりを生ずることなく、主案内通路部及び副案内通路部に送られ、さらに、主案内通路部内に滞留している遊技球が、当該主案内通路部の内部においてその突出部の形状や傾斜方向に、球詰まりを生ずることなく、円滑に移動して下方へ案内され得る。なお、副案内通路部内に滞留している遊技球も下方へ案内され得る。
【００３２】
なお、上記各手段の括弧内の符号は、後述する実施形態に記載の具体的手段との対応関係を示す。
【図面の簡単な説明】
【００３３】
【図１】本発明が適用されるパチンコ遊技機の一実施形態を、その斜め左前上側からみた状態にて示す斜視図である。
【図２】図１のパチンコ遊技機を、その斜め左後上側からみた状態にて示す斜視図である。
【図３】図１のパチンコ遊技機の遊技機本体を上皿及び下皿と共に斜め左上側からみた状態にて示す斜視図である。
【図４】図３の上皿を左上側からみた状態にて示す拡大斜視図である。
【図５】図３の球排出ユニットを斜め左上側からみた状態にて示す拡大斜視図である。
【図６】図３の球タンクユニットを示す拡大平面図である。
【図７】図２の球払い出しユニットを示す破断拡大斜視図である。
【図８】図２の縦型通路ユニットをその斜め上側後方からみた状態にて示す拡大斜視図である。
【図９】図２の縦型通路ユニットをその斜め下側後方からみた状態にて示す拡大斜視図である。
【図１０】図２の縦型通路ユニットの内部構成を示す拡大斜視図である。
【図１１】図２の縦型通路ユニットの内部構成を示す拡大斜視図である。
【図１２】図２の球通路ユニットをその斜め右上側前方からみた状態にて示す拡大斜視図である。
【図１３】図２の球通路ユニットをその斜め左下側後方からみた状態にて示す拡大斜視図である。
【図１４】図２の球通路ユニットの内部構成をその前面側からみた状態にて示す拡大縦断面である。
【図１５】図２の球通路ユニットを、球抜き通路９３の内部構成と共に、斜め右上側前方からみた状態にて示す拡大斜視図である。
【図１６】（ａ）は、図１４にて図示ａ−ａ線に沿う断面図であり、（ｂ）は、図１４にて図示ａ−ｂ線に沿う断面図である。
【図１７】図２の横型通路ユニットをその内部構成と共に斜め右上前方からみた状態にて示す拡大斜視図である。
【図１８】図１７の横型通路ユニットにおける飛散防止機構の動作を前扉の閉状態のもとに説明するための拡大平面図である。
【図１９】図１７の横型通路ユニットにおける飛散防止機構の動作を前扉の閉状態のもとに説明するための要部縦断面図である。
【図２０】図１７の横型通路ユニットにおける飛散防止機構の動作を前扉の開状態のもとに説明するための拡大平面図である。
【図２１】図１７の横型通路ユニットにおける飛散防止機構の動作を前扉の開状態のもとに説明するための要部縦断面図である。
【図２２】図１０の縦型通路ユニットにおける満タンセンサの動作を説明するための要部断面図である。
【図２３】図１０の縦型通路ユニットにおける満タンセンサの動作を説明するための要部断面図である。
【図２４】から通路ユニットを介し上皿及び下皿にかけて移動する遊技球の経路を説明するための概略斜視図である。
【図２５】図２の球通路ユニットにおいてその導入部から主案内通路部にかけて移動する遊技球の経路を説明するための概略斜視図である。
【図２６】図２５の球通路ユニットにおいて遊技球が主案内通路部内にて多数移動する状態を説明するための概略断面図である。
【図２７】図２６の球通路ユニットにおいて遊技球が主案内通路部から副案内通路部へ分岐して移動し始める状態を説明するための概略断面図である。
【図２８】図２７の球通路ユニットにおいて遊技球が主案内通路部から副案内通路部へ分岐して移動している状態を説明するための概略断面図である。
【発明を実施するための形態】
【００３４】
以下、本発明の一実施形態を図面により説明する。
【００３５】
図１及び図２は、本発明を適用してなるパチンコ遊技機の一実施形態を示しており、当該パチンコ遊技機は、遊技機の一種として、パチンコホール内の島に立設されるものである。このパチンコ遊技機は、機枠ＰＦと、遊技機本体Ｂａと、前扉ＦＤとにより構成されており、当該パチンコ遊技機は、機枠ＰＦを介し、上記パチンコホール内の島に立設される。
【００３６】
ここで、遊技機本体Ｂａは、前扉ＦＤと共に、機枠ＰＦに前後方向へ開閉可能に支持されている。なお、図１において、図示上下方向及び図示左右方向は、当該パチンコ遊技機の上下方向及び左右方向（斜め左前方向及び斜め右後方向）に対応し、また、図示前後方向（斜め右前方向及び斜め左後方向）は、当該パチンコ遊技機の前後方向に対応する。
【００３７】
前扉ＦＤは、図１にて示すごとく、前枠ＦＤ１と、この前枠ＦＤ１の中空部に嵌装してなる窓ガラスＦＤ２とにより構成されている。また、当該前扉ＦＤは、図１〜図３のいずれかにて示すごとく、上皿５１を備えており、この上皿５１は、図１にて示すごとく、上方に向けた開口するように、前扉ＦＤにその前面下部から前方へ突出形成されている。
【００３８】
しかして、上皿５１は、入口部５１ａ（図４参照）にて、球通路ユニット１００（後述する）や貸球払い出し装置（図示しない）からの各遊技球を供給されて、受皿部５１ｂにて貯留し、かつ、このように貯留した各遊技球を一列に整列させて、このように整列する各遊技球を、ハンドルＨ（図１参照）の回動操作のもとに、順に、１個ずつ、球発射装置（図示しない）に送るように、球送り装置（図示しない）に供給する（図３参照）。
【００３９】
また、当該上皿５１は、他の入口部５１ｃにて、後述する球通路ユニット１００の出口部１０２ｂ（図１７参照）から遊技球を受けて、通路部５１ｄを経て出口部５１ｅから下皿５２（後述する）に進入させる（図４参照）。なお、上記球発射装置は、上記球送り装置から送られる遊技球を案内レール２０の案内通路１３（図３参照）内に向け発射する。
【００４０】
また、前扉ＦＤは、下皿５２を備えており、この下皿５２は、上皿５１の下側にて、前扉ＦＤの下部に設けられている。当該下皿５２は、通路ユニット９０の副案内通路部Ａｄ（後述する）からの遊技球を貯留する。また、当該下皿５２は、上皿５１の出口部５１ｅからの遊技球を貯留するとともに、遊技者による上皿５１からの球抜き操作に伴い、上皿５１内の貯留球を球抜き通路（図示しない）を経て貯留する。また、下皿５２は、遊技者の操作によって開放される蓋部材（図示せず。）を備えており、この蓋部材は、その開放に伴い、下皿５２内に貯留されている遊技球を球抜きして、計数球貯留箱等に移し替え可能となっている。
【００４１】
遊技機本体Ｂａは、図２或いは図３に示すごとく、いわゆる内枠である本体枠ＢＦと、遊技盤１０とを備えており、遊技盤１０は、本体枠ＢＦの中空部に嵌装されている。なお、遊技機本体Ｂａは、本体枠ＢＦにて、機枠ＰＦによって前後方向へ開閉可能に支持されている。
【００４２】
また、遊技機本体Ｂａは、図３に示すごとく、案内レール２０を備えており、この案内レール２０は、遊技盤１０の前面１１（以下、盤面１１ともいう）に、その外周部に沿い、円弧状に組み付けられている。当該案内レール２０は、内側レール部２１及び外側レール部２２でもって構成されており、内側レール部２１は、外側レール部２２に沿いその内周側にて、遊技盤１０の盤面１１に組み付けられている。
【００４３】
ここで、当該案内レール２０は、内側レール部２１及び外側レール部２２の内側にて、遊技盤１０の盤面１１に遊技領域１２を形成している。また、案内通路１３が、案内レール２０のうち内側レール部２１及び外側レール部２２の間において、上記球発射装置から発射される遊技球を遊技領域１２内に案内するように形成されている。
【００４４】
また、当該遊技機本体Ｂａは、センター構造物、遊技釘群、風車、アタッカー、スタートチャッカー、電動チューリップ、普通入賞口装置及びスルーゲート（共に図示しない）を備えており、これらセンター構造物、遊技釘群、風車、アタッカー、スタートチャッカー、電動チューリップ、普通入賞口装置及びスルーゲートは、遊技盤１０の盤面１１に遊技領域１２にて分散して組み付けられている。
【００４５】
また、当該遊技機本体Ｂａは、画像表示器、主制御装置、副制御装置、払い出し制御装置及び電源回路装置（共に図示しない）を備えており、上記画像表示器は、上記センター構造物の内側にて、遊技盤１１の中央開口部に嵌装されている。上述の主制御装置、副制御装置、払い出し制御装置及び電源回路装置は、遊技盤１０にその裏面１４（図３参照）側から組み付けられており、上記主制御装置は、当該パチンコ遊技機の電気系統を総括的に制御する。上記副制御装置は、上記画像表示器による演出表示を制御する。上記払い出し制御装置は、球払い出しユニット７０（後述する）の球払い出し装置７２（後述する）の動作を制御する。上記電源回路装置は、上述の主制御装置、副制御装置及び払い出し制御装置その他の回路に給電する。なお、これら主制御装置、副制御装置、払い出し制御装置及び電源回路装置は、図２にて、それぞれ、符号３０によって示されている。
【００４６】
また、当該遊技機本体Ｂａは、図３及び図５に示すごとく、球排出ユニット４０を備えており、この球排出ユニット４０は、遊技盤１０の下部にその盤面１１の裏側から組み付けられている。ここで、球排出ユニット４０は、当該パチンコ遊技機による遊技中において、遊技領域１２内に発射されて入賞球又はアウト球となった遊技球を全て回収し、当該パチンコ遊技機の外部に排出し、また、ホール閉店後には、球抜き操作に基づき、当該パチンコ遊技機に賞球用として残留する遊技球（球抜き球）を回収し、当該パチンコ遊技機の外部へ排出するようになっている。図５において、符号４１は、排出すべき遊技球を回収して排出口（図示しない）から外部に排出する集合箱部を示し、符号４２は、遊技領域１２のアウト口１５（図３）に連通するアウト球入口を示し、また、符号４３は、球通路ユニット１００（後述する）の一部を搭載する座部を示している。
【００４７】
また、当該遊技機本体Ｂａは、図１〜図３にて示すごとく、球払い出し系統ＢＳを備えており、この球払い出し系統ＢＳは、遊技者による当該パチンコ遊技機での遊技中、遊技領域１２内を転動落下する遊技球が上記各種入賞口に入球したときに、遊技者に対して賞球として遊技球を払い出す処理を行うものである。
【００４８】
当該球払い出し系統ＢＳは、図２にて示すごとく、遊技機本体Ｂａの本体枠ＢＦの裏面にその上部から左縁部にかけて順次配設してなる球タンクユニット６０、球払い出しユニット７０、縦型通路ユニット８０、球通路ユニット９０及び球通路ユニット１００を備えている。
【００４９】
球タンクユニット６０は、本体枠ＢＦの上部に配設されており、この球タンクユニット６０は、図２、図４或いは図６にて示すごとく、タンク６１と、両整流路６２、６３とにより構成されている。
【００５０】
タンク６１は、図２にて示すごとく、その上端開口部にて、上方に向け開口しており、当該タンク６１は、遊技球補給装置（図示しない）により補給される遊技球を払出用遊技球として貯留する。両整流路６２、６３は、タンク６１の左側にて本体枠ＢＦの上部にその裏面側から配設されており、当該両整流路６２、６３は、タンク６１内に貯留してなる各遊技球を２列に整流して球払い出しユニット７０に向け供給する（図６にて図示両破線矢印ａ、ｂにて示す方向参照）。
【００５１】
球払い出しユニット７０は、図２にて示すごとく、球タンクユニット６０の両整流路６２、６３に連結するように、本体枠ＢＦの左縁上部に沿うようにその裏面側から配設されている。この球払い出しユニット７０は、図７にて示すごとく、両入口路７１、７２と、球払い出し装置７３と、両出口路７４、７５と、両球抜き通路７６、７７とにより構成されている。
【００５２】
当該球払い出しユニット７０において、両入口路７１、７２は、球タンクユニット６０の両整流路６２、６３に連結されている。また、両入口路７１、７２は、蓋部材７８を備えており、この蓋部材７８は、次のように、両球抜き通路７６、７７の各上端部を開閉する役割を果たす。
【００５３】
即ち、当該蓋部材７８は、通常時（遊技中を含む。）には、両球抜き通路７６、７７の各上端部を閉じている。これに伴い、両入口路７１、７２は、両整流路６２、６３から供給される各遊技球を球払い出し装置７３に向けて案内する両球払い出し通路を形成する。また、当該蓋部材７８は、ホール閉店後の球抜き操作時に回動されて、両球抜き通路７６、７７の各上端部を開く。これに伴い、両入口路７１、７２は、整流路６２、６３から供給される各遊技球を両球抜き通路７６、７７に向け案内する両球抜き通路を形成する。
【００５４】
両球抜き通路７６、７７は、両入口路７１、７２から案内される各遊技球を遊技機本体Ｂａの裏側へ排出する。
【００５５】
球払い出し装置７３は、球払い出しユニット７０において両入口路７１、７２の左側に配設されており、当該球払い出し装置７３は、図７にて示すごとく、ステップモータ７３ａと、このステップモータ７３ａに駆動軸７３ｂを介し同軸的に支持してなる前後両側払い出しカム７３ｃ、７３ｄとを備えている。
【００５６】
ここで、駆動軸７３ｂは、ステップモータ７３ａの出力軸に同軸的に支持されて遊技盤１０の後方に向け延出されている。前後両側払い出しカム７３ｃ、７３ｄのうち、前側払い出しカム７３ｃは、その回転基部にて、ステップモータ７３ａと後側払い出しカム７３ｄとの間において、駆動軸７３ｂの軸方向中間部位に同軸的に支持されている。後側払い出しカム７３ｄは、その回転基部にて、前側払い出しカム７３ｃの後方にて、駆動軸７３ｂの軸方向中間部位に同軸的に支持されている。本実施形態では、後側払い出しカム７３ｄは、その遊技球の払い出し時期にて、前側払い出しカム７３ｃに対し所定位相角度差（例えば、４５°）を異にするように、駆動軸７３ｂの軸方向中間部位に支持されている。
【００５７】
しかして、前後両側払い出しカム７３ｃ、７３ｄは、ステップモータ７３ａの図７にて図示反時計方向への回転に伴い、同一方向に回転して、両球払い出し通路としての両入口路７１、７２から案内される各遊技球を、交互に１個ずつ間欠的に両出口路７４、７５側へ送り出す。
【００５８】
両出口路７４、７５は、球払い出しユニット７０において球払い出し装置７３から左斜め下方へ延在するように配設されており、当該両出口路７４、７５は、球払い出し装置７３の両払い出しカム７２ｃ、７２ｄからその各回転によって送り出される各遊技球を縦型通路ユニット８０側へ案内する。
【００５９】
なお、図７において、破線矢印ａは、図６に示す破線矢印ａに対応しており、この破線矢印ａから破線矢印ｃに至る経路は、入口路７１が球払い出し通路としての役割を果たすときの遊技球の案内経路を示している。また、図７において、破線矢印ｂは、図６に示す破線矢印ｂに対応しており、この破線矢印ｂから破線矢印ｄに至る経路は、同じく入口路７２が球払い出し通路としての役割を果たすときの遊技球の案内経路を示している。
【００６０】
また、破線矢印ａから破線矢印ｅに至る経路は、入口路７１が球抜き通路としての役割を果たすときに、球抜き通路７６を通る遊技球（球抜き球）の経路を示す。また、破線矢印ｂから破線矢印ｆに至る経路は、同じく入口路７２が球抜き通路としての役割を果たすときに、球抜き通路７７を通る遊技球（球抜き球）の経路を示す。
【００６１】
縦型通路ユニット８０は、球払い出しユニット７０に連結されるように、遊技機本体Ｂａの本体枠ＢＦの左縁部に沿うようにその裏面側から配設されており、当該縦型通路ユニット８０は、図８或いは図９にて示すごとく、互いに並行な両球案内通路８１、８２及び球抜き通路８３を備えている。なお、図８において、各破線矢印ｃ、ｄ、ｅ及びｆは、それぞれ、図７にて示す各破線矢印ｃ、ｄ、ｅ及びｆに対応する。
【００６２】
両球案内通路８１、８２のうち、球案内通路８１は、図１０にて示すごとく、その入口部８１ａと出口部８１ｂとの間において、左右方向へ屈曲することなく前後方向に蛇行しつつ下方へ延出するように形成されており、この球案内通路８１は、その入口部８１ａにて、球払い出しユニット７０の出口路７４に連結されている。しかして、当該球案内通路８１は、球払い出しユニット７０の出口路７４から供給される遊技球を、入口部８１ａから出口部８１ｂにかけて、蛇行状に案内する（図１０にて、図示破線矢印ｃから破線矢印ｇに至る経路参照。）。
【００６３】
また、球案内通路８２は、図１１にて示すごとく、その入口部８２ａと出口部８２ｂとの間において、入口部８２ａから右方へ屈曲した後、前後方向へ蛇行しつつ下方へ延出するように形成されており、この球案内通路８２は、その入口部８２ａにて、球払い出しユニット７０の出口路７５に連結されている。しかして、当該球案内通路８２は、球払い出しユニット７０の出口路７５から供給される遊技球を、入口部８２ａから出口部８２ｂにかけて、蛇行状に案内する（図１１にて、破線矢印ｄから破線矢印ｈに至る経路参照。）
本実施形態では、両球案内通路８１、８２は、図１０或いは図１１にて示すごとく、各出口部８１ｂ、８２ｂを除き、隔壁８４により区画されて、当該隔壁８４に沿い略同一の球通路形状に形成されている。
【００６４】
また、球抜き通路８３は、その各入口部８３ａ、８３ｂにて、それぞれ、球払い出しユニット７０の両球抜き通路７６、７７の各々に連結されている。また、当該球抜き通路８３は、両球抜き通路７６、７７からの各遊技球を両入口部８３ａ、８３ｂから出口部６３ｃを通して排出する（図８或いは図９にて両破線矢印ｅ、ｆから破線矢印ｉに至る経路参照。）。なお、球抜き通路８３は、両入口部８３ａ、８３ｂと出口部６３ｃとの間にて合流している。
【００６５】
球通路ユニット９０は、図２にて示すごとく、遊技機本体Ｂａの本体枠ＢＦの左縁部に沿い縦型通路ユニット８０に連結されるように配設されている。当該球通路ユニット９０は、ケーシング９１を備えており、このケーシング９１は、左側ケーシング部材Ａ及び右側ケーシング部材Ｂを上下方向に互いに並行となるように左右に形成して構成されている（図１２参照）。
【００６６】
左側ケーシング部材Ａは、その内部にて、球案内通路９２（図１２〜図１４のいずれか参照）を形成してなり、この球案内通路９２は、左側ケーシング部材Ａにおいて互いに対向する前後両側壁部９２ｃ、９２ｄ（図１２〜図１４のいずれか参照）及び互いに対向する左右両側壁部９２ｑ、９２ｆ（図１２〜図１４のいずれか参照）でもって後述のように中空状に形成されている。なお、前後両側壁部９２ｃ、９２ｄ及び左右両側壁部９２ｑ、９２ｆは、左側ケーシング部材Ａの周壁部でもある。
【００６７】
ここで、球案内通路９２は、その上側入口部９２ａにて、縦型通路ユニット８０の両出口部８１ｂ、８２ｂに連結されている。なお、上側入口部９２ａは、縦型通路ユニット８０の両出口部８１ｂ、８２ｂからの各遊技球を共に左右に並べて受け入れ可能な開口形状を有する（図１２及び図１４にて各図示破線矢印ｇ、ｈ参照）。
【００６８】
当該球案内通路９２は、図１２或いは図１４にて示すごとく、上述した上側入口部９２ａを有する導入部Ａａ、空間部Ａｂ、主案内通路部Ａｃ、副案内通路部Ａｄ、両整流通路部Ａｅ、Ａｆでもって構成されている。
【００６９】
導入部Ａａは、前側壁部９２ｃの上側湾曲壁部９２ｂ（以下、前上側湾曲壁部９２ｂともいう。図１２及び図１６（ａ）参照）、後側壁部９２ｄの上側両湾曲壁部９２ｂ（以下、後上側両湾曲壁部９２ｂともいう。図１３及び図１６（ｂ）参照）、左側壁部９２ｑの上壁部及び右側壁部９２ｆの上壁部でもって、構成されている。
【００７０】
ここで、前側壁部９２ｃの前上側湾曲壁部９２ｂは、左側から右側にかけて下方に向け所定の誘導傾斜角度にて傾斜するように、前方へ凸な略断面半楕円状（図１６（ａ）参照）にて形成されている。一方、後側湾曲壁部９２ｄの後上側両湾曲壁部９２ｂは、前上側湾曲壁部９２ｂと同一方向に上記所定の誘導傾斜角度にて傾斜するように、後方へ凸な略断面４分の１楕円状（図１６（ｂ）参照）にて形成されている。なお、上述の所定の誘導傾斜角度は、導入部Ａａ内にその入口部９２ａから導入される各遊技球が、導入部Ａａ内にて球詰まりを発生することなく、導入部Ａａの下側開口部（後述する）に向け円滑に誘導されるに適した角度に設定されている。
【００７１】
しかして、導入部Ａａは、上側入口部９２ａから進入する各遊技球を上記所定の誘導傾斜角度のもと右方へ円滑に移動させて下側開口部から空間部Ａｂ内に落下させる。なお、導入部Ａａの上記下側開口部は、図１４にて示すごとく、導入部Ａａの後上側両湾曲壁部９２ｂの左側境界部位とこれに対する前上側湾曲壁部９２ｂの対応部位との間を下方から閉じることによって、当該左側境界部位の右側において、空間部Ａｂ内に向けて開口するように形成されている。
【００７２】
空間部Ａｂは、球案内通路９２において、導入部Ａａと主案内通路部Ａｃ及び副案内通路部Ａｄとの間に形成されており、この空間部Ａｂは、前側壁部９２ｃにおいて前上側湾曲壁部９２ｂの下側に形成される平壁部、後側壁部９２ｄにおいて後上側湾曲壁部９２ｂの下側に形成される平壁部並びにこれら両平壁部に対する左右両側壁部９２ｑ、９２ｆの各対応壁部でもって縦断面矩形中空状に形成されている。これに伴い、空間部Ａｂは、その上端開口部にて、導入部Ａａ内にその下側開口部を介し開口しており、当該空間部Ａｂの下側開口部は、主案内通路部Ａｃ及び副案内通路部Ａｄ内にその各上端開口部を介し開口している。
【００７３】
しかして、当該空間部Ａｂは、その内部に、導入部Ａａの上記下側開口部から落下する各遊技球を貯留可能に進入させて後述のごとく主案内通路部Ａｃの上端開口部に落下させる。
【００７４】
また、空間部Ａｂは、図１４にて示すごとく、球崩し用段差壁部９２ｚを有しており、この段差壁部９２ｚは、空間部Ａｂ内の主案内通路部Ａｃ（後述する）の直上において、球案内通路９２の右側壁部９２ｆのうち空間部Ａｂの右上側壁部を構成する壁部位から左側壁部９２ｑに向けて突出形成されている。
【００７５】
ここで、当該段差壁部９２ｚは、その傾斜状下縁部Ｚ１にて、主案内通路部Ａｃの後中側湾曲壁部９２ｊ（後述する）の下縁部から所定の高さに位置するように形成されており、当該段差壁部９２ｚの突出端面Ｚ２は、右側壁部９２ｆのうち空間部Ａｂの右上側壁部を構成する壁部位の内面から所定の厚さだけ突出している。なお、傾斜状下縁部Ｚ１は、右側壁部９２ｆの内面から左上側へ傾斜するように形成されている（図１４参照）。
【００７６】
これにより、各遊技球が主案内通路部Ａｃの後中側湾曲壁部９２ｊの下縁部の上方において空間部Ａｂ内に積み重なっても、当該段差壁部９２ｚは、このように積み重なる各遊技球のうち傾斜状下縁部Ｚ１の下側に位置する遊技球を崩すことなく、傾斜状下縁部Ｚ１よりも上側にて積み重なる遊技球を崩して副案内通路部Ａｄ（後述する）側へ円滑に分岐させる役割を果たす。
【００７７】
本実施形態において、上記所定の高さは、主案内通路部Ａｃの後中側両湾曲壁部９２ｊの下縁部上に各遊技球を積み重ねた状態にて当該各遊技球のうち３個の遊技球を分岐壁部９２ｅ（後述する）の上端部から傾斜状下縁部Ｚ１にかけて右上方向に傾斜状に並べたとき当該３個の遊技球上に導入部Ａａの下側開口部から落下する遊技球を副案内通路部Ａｄ側へ円滑に分岐させ得る程度の高さとなっている。なお、当該高さは、後中側両湾曲壁部９２ｊの下縁部の所定の傾斜方向長さ以上で当該傾斜方向長さと遊技球の外径との和以下の値であればよい。
【００７８】
また、上記所定の厚さは、上記所定の高さと相まって、傾斜状下縁部Ｚ１と後中側湾曲壁部９２ｊの下縁部のうち傾斜状下縁部Ｚ１の直下に対する対応部位との間に積み重なる遊技球を崩さず、この遊技球の上側に積み重なる遊技球を副案内通路部Ａｄ側へ押し出すように崩し得る程度の値（遊技球の外径の半分未満の値）に設定されている。例えば、当該所定の厚さは、５．５（ｍｍ）未満３（ｍｍ）以上の範囲内の値となっている。
【００７９】
主案内通路部Ａｃ及び副案内通路部Ａｄは、図１４にて示すごとく、共に、分岐壁部９２ｅを境界壁部として、当該分岐壁部９２ｅを介し互いに並行に空間部Ａｂから下方に延出されている。なお、主案内通路部Ａｃ及び副案内通路部Ａｄは、その各上端開口部にて、共に、ほぼ同一の開口面積を有する。
【００８０】
主案内通路部Ａｃは、その上端開口部にて、空間部Ａｂを介し導入部Ａａの上記下側開口部の下方に位置するように左側ケーシング部材Ａの右側部位内に配設されている。このため、主案内通路部Ａｃは、その上端開口部にて、導入部Ａａの上記下側開口部から空間部Ａｂを通り落下する遊技球を受承する。また、副案内通路部Ａｄは、分岐壁部９２ｅを介し主案内通路部Ａｃの左側に配設されており、副案内通路部Ａｄの幅（分岐壁部９２ｅと左側壁９２ｑとの間隔に相当する。）は、主案内通路部Ａｃの幅（分岐壁部９２ｅと右側壁９２ｆとの間隔に相当する。）に等しい。
【００８１】
しかして、本実施形態では、導入部Ａａが、上述のごとく、左側から右側にかけて下方に向け傾斜しているため、導入部Ａａ内に進入する遊技球は、その自重及び落下速度とも相俟って、導入部Ａａの下側内面に沿い円滑に右方へ移動して、当該導入部Ａａの下側開口部から主案内通路部Ａｃの上端開口部に向け落下する。
【００８２】
従って、導入部Ａａの上記下側開口部が、図１４にて示すごとく、主案内通路部Ａｃの上端開口部だけでなく、副案内通路部Ａｄの上端開口部にも亘り対向していても、導入部Ａａの上記下側開口部からの遊技球は、常に、主案内通路部Ａｃの上端開口部に向けて落下する。本実施形態では、導入部Ａａの下側開口部からの遊技球は、分岐壁部９２ｅの上端部ｔの近傍にて主案内通路部Ａｃの上端開口部に向け落下するようになっている。
【００８３】
また、主案内通路部Ａｃは、前側壁部９２ｃの右中側壁部に対応する中側両湾曲壁部９２ｈ、９２ｍ（以下、前中側両湾曲壁部９２ｈ、９２ｍともいう。図１２及び図１６（ａ）参照）、後側壁部９２ｄの右中側壁部に対応する中側両湾曲壁部９２ｊ、９２ｇ（以下、後中側両湾曲壁部９２ｊ、９２ｇともいう。図１３及び図１６（ｂ）参照）、右側壁部９２ｆの中壁部及びこれに対向する分岐壁部９２ｅの中壁部でもって構成されている。
【００８４】
ここで、前側壁部９２ｃの前中側両湾曲壁部９２ｈ、９２ｍは、互いに上下に連結されて、分岐壁部９２ｅから右側壁部９２ｆにかけて下方に向け所定の案内傾斜角度にて傾斜するように形成されている。本実施形態では、上述の所定の案内傾斜角度は、例えば、１０°〜１５°の範囲内の角度に設定されている。また、前中側両湾曲壁部９２ｈ、９２ｍの傾斜方向長さは、それぞれ、遊技球の外径の２倍よりも大きく３倍よりも小さな値に設定されている。また、当該前中側両湾曲壁部９２ｈ、９２ｍの所定の前後方向幅（分岐壁部９２ｅの幅方向）は、好ましくは、遊技球の外径よりも大きく当該外径の１．５倍以下の値に設定するとよい。これらのように設定したのは、以下の根拠に基づく。
【００８５】
即ち、球払い出しユニット７０から順次払い出される遊技球をできる限り多く円滑に上皿５１に向けて供給するためには、主案内通路部Ａｃ内に落下する各遊技球が相互に球圧を受けて球詰まりとなるような事態の発生を未然に防止する必要がある。このような観点から、上述のごとく、所定の案内傾斜角度は、例えば、１０°〜１５°の範囲内の角度に設定され、かつ、前中側両湾曲壁部９２ｈ、９２ｍの各傾斜方向長さは、所定の傾斜方向長さ、例えば、遊技球の外径の２倍よりも大きく３倍よりも小さな値に設定され、かつ、前中側両湾曲壁部９２ｈ、９２ｍの所定の前後方向幅は、好ましくは、遊技球の外径よりも大きく当該外径の１．５倍以下の値に設定されている。
【００８６】
なお、上記所定の案内傾斜角度は、１０°〜１５°の範囲内の角度に限ることなく、遊技球を前中側両湾曲壁部９２ｈ、９２ｍの傾斜方向に円滑に案内し得る角度であればよい。また、上記所定の傾斜方向長さ及び上記所定の前後方向幅は、それぞれ、遊技球の外径の２倍よりも大きく３倍よりも小さな値及び遊技球の外径よりも大きく当該外径の１．５倍以下の値に限ることなく、上記所定の案内傾斜角度と相俟って、隣り合う各遊技球の間に球圧を発生しにくい値であればよい。
【００８７】
また、前中側両湾曲壁部９２ｈ、９２ｍのうち、前中側湾曲壁部９２ｈは、外側（前側）に向け凸な縦断面半楕円状に形成されている（図１２及び図１６（ａ）参照）。このため、当該前中側湾曲壁部９２ｈは、後中側両湾曲壁部９２ｊ、９２ｇに対しその境界部を中心として凹状に対向する。このことは、前中側湾曲壁部９２ｈは、その球通路面にて、凹状に対向することを意味する。
【００８８】
また、前中側湾曲壁部９２ｍは、外側（前側）に向け凸な縦断面４分の１楕円状に形成されている（図１２及び図１６（ｂ）参照）。このため、当該前中側湾曲壁部９２ｍは、後中側湾曲壁部９２ｇに対しその下側部位を中心として凹状に対向する。このことは、前中側湾曲壁部９２ｍは、その前中側湾曲壁部９２ｈは、その球通路面にて、凹状に対向することを意味する。
【００８９】
一方、後側壁部９２ｄの後中側両湾曲壁部９２ｊ、９２ｇは、互いに上下に連結されて、分岐壁部９２ｅから右側壁部９２ｆにかけて下方に向け上記所定の案内傾斜角度にて傾斜するように形成されている。また、後中側両湾曲壁部９２ｊ、９２ｇの傾斜方向長さは、それぞれ、上記所定の傾斜方向長さに設定されている。
【００９０】
また、後中側両湾曲壁部９２ｊ、９２ｇのうち、後中側湾曲壁部９２ｊは、外側（後側）に向け凸な縦断面４分の１楕円状（図１６（ｂ）参照）に形成されており、後中側湾曲壁部９２ｇは、外側（後側）に向け凸な縦断面半楕円状に形成されている。ここで、前中側湾曲壁部９２ｈの下縁部及び前中側湾曲壁部９２ｍの上縁部は、互いに連結して各連結縁部として、後中側湾曲壁部９２ｇの上下方向中央部に対向し、また、後中側湾曲壁部９２ｊの下縁部及び後中側湾曲壁部９２ｇの上縁部は、互いに連結して各連結縁部として、前中側湾曲壁部９２ｈの上下方向中央部に対向している。
【００９１】
このことは、前中側湾曲壁部９２ｈは、後中側両湾曲壁部９２ｊ、９２ｇの各連結縁部に凹状に対向し、後中側湾曲壁部９２ｇは、前中側両湾曲壁部９２ｈ、９２ｍの各連結縁部に凹状に対向することを意味する。換言すれば、前中側湾曲壁部９２ｈは、その球通路面にて、後中側両湾曲壁部９２ｊ、９２ｇの各連結縁部に凹状に対向し、後中側湾曲壁部９２ｇは、その球通路面にて、前中側両湾曲壁部９２ｈ、９２ｍの各連結縁部に凹状に対向することを意味する。
【００９２】
副案内通路部Ａｄは、前側壁部９２ｃの左中側壁部に対応する中側両湾曲壁部９２ｓ、９２ｗ（以下、前中側両湾曲壁部９２ｓ、９２ｗともいう。図１２及び図１６（ａ）参照）、後側壁部９２ｄの左中側壁部に対応する中側両湾曲壁部９２ｒ、９２ｕ（以下、後中側両湾曲壁部９２ｒ、９２ｕともいう。図１３及び図１６（ｂ）参照）、左側壁部９２ｑの中壁部及びこれに対向する分岐壁部９２ｅの中壁部でもって構成されている。
【００９３】
ここで、前側壁部９２ｃの前中側両湾曲壁部９２ｓ、９２ｗは、互いに上下に連結されて、分岐壁部９２ｅから左側壁部９２ｑにかけて下方に向け上記所定の案内傾斜角度にて傾斜するように形成されている。また、当該前中側両湾曲壁部９２ｓ、９２ｗの傾斜方向長さは、上記所定の傾斜方向長さに設定されている。
【００９４】
また、前中側両湾曲壁部９２ｓ、９２ｗのうち、前中側湾曲壁部９２ｓは、外側（前側）に向け凸な縦断面半楕円状（図１６（ａ）参照）に形成されており、前中側湾曲壁部９２ｗは、外側（前側）に向け凸な縦断面４分の１楕円状に形成されている（図１２及び図１６（ａ）参照）。
【００９５】
一方、後側壁部９２ｄの後中側両湾曲壁部９２ｒ、９２ｕは、互いに上下に連結されて、分岐壁部９２ｅから左側壁部９２ｑにかけて下方に向け上記所定の案内傾斜角度にて傾斜するように形成されている。また、後中側両湾曲壁部９２ｒ、９２ｕの各傾斜方向長さは、上記所定の傾斜方向長さに設定されている。
【００９６】
また、後中側両湾曲壁部９２ｒ、９２ｕのうち、後中側湾曲壁部９２ｒは、外側（後側）に向け凸な縦断面４分の１楕円状（図１６（ｂ）参照）に形成されており、後中側湾曲壁部９２ｕは、外側（後側）に向け凸な縦断面半楕円状（図１６（ｂ）参照）に形成されている。
【００９７】
ここで、前中側湾曲壁部９２ｓの下縁部及び前中側湾曲壁部９２ｗの上縁部は、互いに連結して各連結縁部として、後中側湾曲壁部９２ｕの上下方向中央部に対向し、また、後中側湾曲壁部９２ｒの下縁部及び後中側湾曲壁部９２ｕの上縁部は、互いに連結して各連結縁部として、前中側湾曲壁部９２ｓの上下方向中央部に対向している。
【００９８】
このことは、前中側湾曲壁部９２ｓは、後中側両湾曲壁部９２ｒ、９２ｕの各連結縁部に凹状に対向し、後中側湾曲壁部９２ｕは、前中側両湾曲壁部９２ｓ、９２ｗの各連結縁部に凹状に対向することを意味する。換言すれば、前中側湾曲壁部９２ｓは、その球通路面面にて、後中側両湾曲壁部９２ｒ、９２ｕの各連結縁部に凹状に対向し、後中側湾曲壁部９２ｕは、その球通路面面にて、前中側両湾曲壁部９２ｓ、９２ｗの各連結縁部に凹状に対向することを意味する。
【００９９】
また、後中側湾曲壁部９２ｒの下縁部は、その分岐壁部９２ｅ側の幅方向端部にて、分岐壁部９２ｅの上端部ｔよりも所定長さだけ低く位置するように設定されている。これは、副案内通路部Ａｄ側へ分岐した遊技球を主案内通路部Ａｃ側へ戻りにくくするためである。
【０１００】
一方、主案内通路部Ａｃの後中側両湾曲壁部９２ｊの下縁部は、その分岐壁部９２ｅ側の幅方向端部にて、後中側湾曲壁部９２ｒの下縁部の分岐壁部９２ｅ側の幅方向端部よりも所定長さだけ低く位置するように設定されている。これは、上述のように導入部Ａａの下側開口部から主案内通路部Ａｃの後中側両湾曲壁部９２ｊの下縁部上に落下した遊技球を、副案内通路部Ａｄ側へ進入させないようにするためである。
【０１０１】
また、本実施形態において、主案内通路部Ａｃ及び副案内通路部Ａｄの構成の一部を形成する各湾曲壁部が、縦断面半楕円状或いは４分の１楕円状となっているのは、以下の根拠に基づく。
【０１０２】
即ち、主案内通路部Ａｃや副案内通路部Ａｄが上下方向に向けて遊技球を直線的に案内するように構成されていると、各遊技球は、上下方向に直線的に落下して主案内通路部Ａｃや副案内通路部Ａｄ内にて球詰まりを招くおそれがある。
【０１０３】
これに対し、本実施形態では、上述のごとく、主案内通路部Ａｃ及び副案内通路部Ａｄの構成の一部を形成する各湾曲壁部が、縦断面半楕円状或いは４分の１楕円状となっているので、当該各湾曲壁部の内面は、上下方向に湾曲状に変化している。このため、主案内通路部Ａｃや副案内通路部Ａｄ内に落下する各遊技球は、各湾曲壁部のいずれかの内面（球通路面）に沿い下方へ移動しつつその下縁部により各湾曲壁部のいずれかの傾斜方向に案内される。
【０１０４】
これにより、主案内通路部Ａｃや副案内通路部Ａｄ内に落下する各遊技球は、下方への移動速度を各湾曲壁部のいずれかの内面（球通路面）に沿い下方へ移動することで、適正に減速される。従って、主案内通路部Ａｃや副案内通路部Ａｄ内における各遊技球の球詰まりをなくすることができる。このようなことから、主案内通路部Ａｃ及び副案内通路部Ａｄの構成の一部を形成する各湾曲壁部が、縦断面半楕円状或いは４分の１楕円状となっている。
【０１０５】
また、本実施形態においては、主案内通路部Ａｃの左右方向開口幅（分岐壁部９２ｅと右側壁部９２ｆとの間の左右方向幅）が、導入部Ａａの下側開口部の左右方向幅、空間部Ａｂの左右方向幅及び当該空間部Ａｂの上下方向長さのいずれよりも、小さくなるように設定されている。これは、主案内通路部Ａｃ及び副案内通路部Ａｄの各球詰まりをより一層発生しにくくするためである。
【０１０６】
両整流通路部Ａｅ、Ａｆのうち、整流通路部Ａｅは、前側壁部９２ｃの右下側壁部に対応する縦壁部９２ｎ、後側壁部９２ｄの右下側壁部に対応する縦壁部９２ｋ、右側壁９２ｆの下壁部及びこれに対向する分岐壁部９２ｅの下壁部でもって構成されている。
【０１０７】
ここで、両縦壁部９２ｎ、９２ｋは、それぞれ、前中側湾曲壁部９２ｈ及び後中側湾曲壁部９２ｇから互いに接近するように傾斜しつつ下方へ延出されており、また、右側壁９２ｆの下壁部は、分岐壁部９２ｅの下壁部に接近するように傾斜しつつ下方へ延出されている。このことは、整流通路部Ａｅは、下方ほど狭い断面矩形状となるように末すぼまり状に形成されていることを意味する。
【０１０８】
これは、主案内通路部Ａｃ内においてその各対向湾曲壁部の形状との関係で、各遊技球を前後に湾曲状に変位させながら下方へ落下させることによる遊技球の移動の乱れに起因して、整流通路部Ａｅ内に球詰まりを招くおそれを考慮して、当該整流通路部Ａｅを上述のように構成することで、各遊技球を円滑に下方へ移動させるべく２つずつ幅方向に並べるように整流して出口部９２ｐから下方へ移動させるためである（図１３にて符号ｊ参照）。
【０１０９】
なお、整流通路部Ａｅの幅（右側壁９２ｆの下壁部と分岐壁部９２ｅの下壁部との間隔に相当する。）は、遊技球の外径の２倍よりも幾分大きく設定されている。
【０１１０】
一方、整流通路部Ａｆは、前側壁部９２ｃの左下側壁部に対応する縦壁部９２ｘ、後側壁部９２ｄの左下側壁部に対応する縦壁部９２ｖ、左側壁９２ｑの下壁部及びこれに対向する分岐壁部９２ｅの下壁部でもって構成されている。
【０１１１】
ここで、両縦壁部９２ｘ、９２ｖは、それぞれ、前中側湾曲壁部９２ｗ及び後中側湾曲壁部９２ｕから互いに接近するように傾斜しつつ下方へ延出されている。また、左側壁９２ｑの下壁部は、分岐壁部９２ｅの下壁部に接近するように傾斜しつつ下方へ延出されている。このことは、整流通路部Ａｆは、下方ほど狭い断面矩形状となるように末すぼまり状に形成されていることを意味する。
【０１１２】
これは、副案内通路部Ａｄ内においてその各対向湾曲壁部の形状との関係で、各遊技球を前後に変位させながら下方へ落下させることによる遊技球の移動の乱れに起因して、整流通路部Ａｆ内に球詰まりを招くおそれを考慮して、当該整流通路部Ａｆを上述のように構成することで、各遊技球を円滑に下方へ移動させるべく２つずつ幅方向に並べるように整流して出口部９２ｙから下方へ移動させるためである（図１３にて符号ｋ参照）。
【０１１３】
なお、整流通路部Ａｆの幅（左側壁９２ｆの下壁部と分岐壁部９２ｅの下壁部との間隔に相当する。）は、遊技球の外径の２倍よりも幾分大きく設定されている。
【０１１４】
ケーシング部材Ｂは、その内部にて、球抜き通路９３（図１２〜図１５のいずれか参照）を形成してなり、当該球抜き通路９３は、その上端開口部にて、縦型通路ユニット８０の出口部８３ｃに連結する入口部９３ａを設けてなり、当該入り口部９３ａは、単一の遊技球を通過に必要な開口形状を有する。
【０１１５】
また、当該球抜き通路９３は、図１５にて示すごとく、横通路９３ｂ及び縦通路９３ｃを有しており、横通路９３ｂは、ケーシング９１の導入部Ａａ上に沿うように入口部９３ａから右方向（図１５にて右側壁９２ｆから右方向へ離れる方向）へ延出されている。
【０１１６】
縦通路９３ｃは、横通路９３ｂの延出端部から下方に向け右側壁９２ｆに沿うように折れ曲がって延出されている。ここで、当該縦通路９３ｃは、横通路９３ｂの延出端部から下方に向けて前後方向に蛇行状に形成されており、この縦通路９３ｃの下側開口部には、出口部９３ｄが形成されている。
【０１１７】
このように構成した球抜き通路９３によれば、縦型通路ユニット８０の出口部８３ｃから入口部９３ａに進入する遊技球は、図１５にて図示破線矢印に沿いその上端部ｉから下端部ｍにかけて移動し出口部９３ｄから下方へ脱出する。
【０１１８】
球通路ユニット１００は、図２にて示すごとく、遊技機本体Ｂａの本体枠ＢＦの左縁下部にて球通路ユニット９０に連結されるように前後方向に配設されている。この球通路ユニット１００は、図１７にて示すごとく、長手中空状ケーシング１００ａを有しており、このケーシング１００ａは、前方側へ下方に向け階段状なるように形成されている。なお、図１７では、球通路ユニット１００のケーシング１００ａは、便宜上、その上壁を省略して描かれている。
【０１１９】
このケーシング１００ａ内には、主案内通路部１０１、副案内通路部１０２、球抜き案内通路部１０３及び球飛散防止機構１０６が形成されており、これら主案内通路部１０１、副案内通路部１０２及び球抜き案内通路部１０３は、ケーシング１００ａ内において、互いに並行に延在するように上方から前側下方に向け階段状に形成されている。ここで、主案内通路部１０１は、副案内通路部１０２及び球抜き案内通路部１０３の間にてこれらに並行に形成されており、主案内通路部１０１及び副案内通路部１０２は、隔壁部１０４により互いに隔離され、かつ、主案内通路部１０１及び球抜き案内通路部１０３は、隔壁部１０５により互いに隔離されている。
【０１２０】
また、主案内通路部１０１は、その上端開口部にて、球通路ユニット９０の主案内通路部Ａｃの出口部９２ｐに連結するように、入口部１０１ａとして形成されており、主案内通路部１０１の下端開口部は、出口部１０１ｂとして形成されている（図１７参照）。副案内通路部１０２は、その上端開口部にて、球通路ユニット９０の副案内通路部Ａｄの出口部９２ｙに連結するように、入口部１０２ａとして形成されており、副案内通路部１０２の下端開口部は、出口部１０２ｂとして形成されている（図１７参照）。また、球抜き案内通路部１０３は、その上端開口部にて、球通路ユニット９０の球抜き通路９３の出口部９３ｄに連結するように、入口部１０３ａとして形成されており、当該球抜き案内通路部１０３の下端開口部は、出口部１０３ｂとして形成されている（図１７参照）。
【０１２１】
しかして、球通路ユニット１００によれば、主案内通路部１０１は、球通路ユニット９０の主案内通路部Ａｃの出口部９２ｐからの遊技球を、入口部１０１ａから出口部１０１ｂに向けて、図１７にて図示破線矢印に沿いその始端部ｊから終端部ｎにかけて案内する。副案内通路部１０２は、球通路ユニット９０の副案内通路部Ａｄの出口部９２ｙからの遊技球を、入口部１０２ａから出口部１０２ｂに向けて、図１７にて図示破線矢印に沿いその始端部ｋから終端部ｐにかけて案内する。また、球抜き案内通路部１０３は、球通路ユニット９０の球抜き通路９３の出口部９３ｄからの遊技球を、入口部１０３ａから出口部１０３ｂに向けて、図１７にて図示破線矢印に沿いその始端部ｍから終端部ｑにかけて案内する。
【０１２２】
球飛散防止機構１０６は、ケーシング１００ａの前側端部内に設けられているもので、この球飛散防止機構１０６は、長手状傾動部材１０６ａ及び駆動レバー１０６ｂを備えている。
【０１２３】
長手状傾動部材１０６ａは、その下縁部にて、ケーシング１００ａの前側下端部に前後方向に傾動可能に支持されており、当該長手状傾動部材１０６ａは、主案内通路部１０１の出口部１０１ｂ及び副案内通路部１０２の出口部１０２ｂをその前面側から対応する位置にて、両出口部１０１ｂ、１０２ｂ内にそれぞれ開口可能なように左右両側の中空部を形成してなるもので、当該左右両側の中空部は、それぞれ、主案内通路部１０１の出口部１０１ｂ及び副案内通路部１０２の出口部１０２ｂの各開口形状と同一の開口形状を有する。
【０１２４】
ここで、長手状傾動部材１０６ａは、図１８或いは図１９にて示すごとく、その左右中空部にてその各前壁部を両出口部１０１ｂ、１０２ｂ側へ傾斜するように傾動した状態では、左右両側の各中空部を両出口部１０１ｂ、１０２ｂの各内部に開口させる。
【０１２５】
これにより、主案内通路部１０１からその出口部１０１ｂを通り案内される各遊技球は、順次、長手状傾動部材１０６ａの右側中空部を通り上皿５１に向けて移動するとともに、副案内通路部１０２から出口部１０２ｂを通り案内される各遊技球は、順次、長手状傾動部材１０６ａの左側中空部を通り下皿５２に向けて移動する。
【０１２６】
また、長手状傾動部材１０６ａは、図１７、図２０或いは図２１にて示すごとく、その左右中空部の各前壁部を上下方向に位置させるように両出口部１０１ｂ、１０２ｂから前方傾動した状態では、上記左右中空部の各後壁部を両出口部１０１ｂ、１０２ｂに対向させる。
【０１２７】
これにより、主案内通路部１０１からその出口部１０１ｂを通り案内される各遊技球は、長手状傾動部材１０６ａの右側中空部の後壁部により上皿５１への移動を阻止されるとともに、副案内通路部１０２から出口部１０２ｂを通り案内される各遊技球は、長手状傾動部材１０６ａの左側中空部に後壁部により下皿５２への移動を阻止される。
【０１２８】
駆動レバー１０６ｂは、その基端部にて、図１８或いは図２０にて示すごとく、ケーシング１００ａ内にてその前側左端部に前後方向に回動可能に支持されており、この駆動レバー１０６ｂは、その基端部から右方へ延出されている。また、当該駆動レバー１０６ｂは、その延出端部にて、長手状傾動部材１０６ａの左端部に連結されている。
【０１２９】
これにより、駆動レバー１０６ｂは、ばね部材（図示しない）の弾力に抗して前扉ＦＤによりその後方への回動（前扉ＦＤの閉作動）に応じて図１７或いは図１８にて示すごとくケーシング１００ａの前側端部内に押し込まれるように後側へ回動することで、図１９にて示すごとく、長手状傾動部材１０６ａを、その下縁部を基準に、上述のごとく、両出口部１０１ｂ、１０２ｂ側へ傾動させる。このことは、当該駆動レバー１０６ｂは、その後側への回動により、上述のごとく、長手状傾動部材１０６ａの左右中空部を両出口部１０１ｂ、１０２ｂ内に開口させることを意味する。
【０１３０】
また、駆動レバー１０６ｂは、上記ばね部材の弾力を受けて、前扉ＦＤによりその前方への回動（前扉ＦＤの開作動）に応じて、図２０にて示すごとく、ケーシング１００ａの前側端部から押し出されるように前側へ回動することで、図２１にて示すごとく、長手状傾動部材１０６ａを、その下縁部を基準に、上述のごとく、上記左右両側中空部の各前壁部を上下方向に位置させるように、両出口部１０１ｂ、１０２ｂから前側へ傾動させる。このことは、当該駆動レバー１０６ｂは、その前側への回動により、上述のごとく、長手状傾動部材１０６ａの左右中空部をその各後壁部にて、両出口部１０１ｂ、１０２ｂに対向させることを意味する。
【０１３１】
以上のように構成した球飛散防止機構１０６によれば、当該パチンコ遊技機による遊技中において、前扉ＦＤが閉じている間、主案内通路部１０１及び副案内通路部１０２からの各遊技球は、それぞれ、順次、上皿５１及び下皿５２に向けて移動する。また、このような状態にて、ホールの従業員が前扉ＦＤを開くと、主案内通路部１０１及び副案内通路部１０２からの各遊技球は、上皿５１及び下皿５２への移動を阻止される。このため、主案内通路部１０１及び副案内通路部１０２からの各遊技球が当該パチンコ遊技機からホールの通路等に飛散することがない。
【０１３２】
また、遊技機本体Ｂａは、満タンセンサ１１０及び制御回路（図示しない）からなる満タン検出装置を備えており、満タンセンサ１１０は、図１０及び図１１にて示すごとく、縦型通路ユニット８０に次のように設けられている。
【０１３３】
満タンセンサ１１０は、常開型マイクロスイッチからなるもので、当該満タンセンサ１１０は、傾動レバー１１１と、センサ本体１１２（マイクロスイッチのスイッチ本体１１２）とにより構成されている。
【０１３４】
ここで、満タンセンサ１１０において、センサ本体１１２は、縦型通路ユニット８０の両球案内通路８１、８２の各中間部位の双方内に亘って位置するように、両球案内通路８１、８２の境界壁の長手方向中間部位に形成した開口部（以下、境界開口部ともいう）に嵌着されている。本実施形態において、満タンセンサ１１０は、センサ本体１１２の可動突起の前方への突出に伴い、オフ状態に維持される。また、当該満タンセンサ１１０は、上記可動突起のセンサ本体１１２内への変位に伴い、オン状態に維持される。なお、上記可動突起は、その前方への突出に伴い、センサ本体１１２に内蔵のスイッチ部をオフ（満タンセンサ１１０のオフに相当）する。また、上記可動突起は、そのセンサ本体１１２内への変位に伴い、センサ本体１１２の上記スイッチ部をオン（満タンセンサ１１０のオンに相当）する。また、上記可動突起は、センサ本体１１２内にその前側から変位可能にかつセンサ本体１１２から前側へ突出可能に組み付けられている。
【０１３５】
傾動レバー１１１は、図２２或いは図２３にて示すごとく、その基端部にて、ピン１１３により、両球案内通路８１、８２の上記境界開口部内上端部に支持されており、当該傾動レバー１１１は、その基端部から上記境界開口部内にてセンサ本体１１２の前面に沿い下方に向け延出されている。
【０１３６】
しかして、当該傾動レバー１１１は、その延出方向中間部位にて、センサ本体１１２の上記可動突起により前方へ押動されて、図２２にて示すごとく、両球案内通路８１、８２の上記境界開口部の開口面内に位置する。このとき、満タンセンサ１１０は、オフ状態にある。
【０１３７】
また、遊技球が、両球案内通路８１、８２のいずれか内にて下方へ案内されている過程において、傾動レバー１１１の近傍まで溜まると、傾動レバー１１１は、その押動面１１１ａにて、溜まった遊技球によりセンサ本体１１２側へ押動されて、上記可動突起をセンサ本体１１２内に向け押動するように傾動する（図２３参照）。
【０１３８】
これに伴い、満タンセンサ１１０がオンする。このことは、遊技球が順次上皿５１の内部から球案内通路８１内の傾動レバー１１１の近傍までの経路（以下、満タン判定経路ともいう）内に溜まったとき、或いは、遊技球が順次上皿５２の内部から球案内通路８２内の傾動レバー１１１の近傍までの経路（以下、満タン判定経路ともいう）内に溜まったときにのみ、満タンセンサ１１０がオンされて、このオン状態を所定時間の間維持することで、遊技球の満タン状態を検出する。
【０１３９】
上記制御回路は、上記払い出し制御装置の一部を構成するもので、当該制御回路は、満タンセンサ１１０の検出出力に基づき、遊技球が上記両満タン判定経路内に溜まったか否かを判定し、溜まったとの判定に伴い、満タンと判定する。
【０１４０】
以上のように構成した本実施形態において、当該パチンコ遊技機は、遊技可能な状態にあるものとする。このとき、球タンクユニット６０は、多数の遊技球を、タンク６１から両整流路６２、６３にかけて貯留した状態にある。球払い出しユニット７０は、その蓋部材７８により、両球抜き通路７６、７７の各上端部を閉じている。また、扉ＦＤが閉状態にあるため、球飛散防止機構１０６は、その長手状傾動部材１０６ａにより、球通路ユニット１００の両出口部１０１ｂ、１０２ｂからの各遊技球の脱出を許容している。また、遊技球が、多数、上皿５１内に貯留されているものとする。また、遊技球が、上皿５１から上記球発射装置にかけて貯留されているものとする。
【０１４１】
しかして、遊技者が、当該パチンコ遊技機において、ハンドルＨの操作により遊技球を順次発射させると、当該各遊技球は、案内レール２０の内側レール部２１及び外側レール部２２の間を通り遊技領域１２内に案内される。
【０１４２】
このように案内されて各遊技球が上記各種入賞口のいずれかに入賞すると、検出スイッチ（図示しない）による入賞検出信号が上記主基板に入力され、この主基板から上記払い出し制御基板に払い出し指示コマンドが送信され、当該払い出し制御基板は払い出し指示コマンドに従って、球払い出しユニット７０の球払い出し装置７３に所定の動作を行わせるための駆動制御信号を出力する。
【０１４３】
すると、球払い出し装置７３において、ステップモータ７３ａが、上記駆動制御信号に従って回転し、前後両側払い出しカム７３ｃ、７３ｄが、図７にて図示反時計方向へ上記所定角度ずつ回転する。これに伴い、所定個数の遊技球が、球タンクユニット６０からその両整流路６２、６３を介して球払い出しユニット７０内にその両両入口路７１、７２から進入して、球払い出し装置７３により前後両側払い出しカム７３ｃ、７３ｄでもって両出口路７４、７５から縦型通路ユニット８０へ順次賞球として送られる。
【０１４４】
然る後、このようにして両出口路７４、７５から送られた各賞球は、縦型通路ユニット８０の両球案内通路８１、８２により案内されて、両出口部８１ｂ、８２ｂから球通路ユニット９０に向けて順次送り出される。なお、このような段階では、両球案内通路８１、８２のいずれか内に賞球が滞留していることはないため、両球案内通路８１、８２のいずれか内において、賞球が満タンセンサ１１０が、両球案内通路８１、８２のいずれか内における賞球の移動に起因して、一時的にオンすることがあっても、上記制御回路は、満タンと判定することはない。
【０１４５】
以上のようにして各賞球が両出口部８１ｂ、８２ｂから球通路ユニット９０に向けて順次移動すると、当該各賞球は、球通路ユニット９０の球案内通路９２の導入部Ａａ（図１４参照）内にその上側入口部９２ａから導入される。
【０１４６】
ここで、上述したごとく、当該導入部Ａａは、ケーシング９１の左側壁９２ｑから右側壁９２ｆにかけて、上述の所定の誘導傾斜角度にて傾斜している。このため、上述したごとく導入部Ａａ内に導入される各賞球は、前上側湾曲壁部９２ｂの湾曲内面と後上側両湾曲壁部９２ｂの各湾曲内面との間に沿い球詰まりを発生することなく導入部Ａａの傾斜方向に円滑に案内されて、導入部Ａａの上記下側開口部から空間部Ａｂを通り主案内通路部Ａｃに向けて落下する（図２４参照）。
【０１４７】
このように主案内通路部Ａｃに向けて落下する各賞球は、順次、主案内通路部Ａｃ内にその上端開口部内に落下する。このとき、分岐壁部９２ｅが、その上端部ｔにて、後中側湾曲壁部９２ｊの下縁部のうち分岐壁部９２ａ側端部よりも高く位置していることから、後中側湾曲壁部９２ｊの下縁部上に受承された賞球が分岐壁部９２ｅの上端部ｔを越えて副案内通路部Ａｄ側へ分岐していくことはない。
【０１４８】
しかして、上述のように主案内通路部Ａｃの上端開口部内に落下した各賞球は、前中側湾曲壁部９２ｈの湾曲内面と後中側両湾曲壁部９２ｊ、９２ｇの各湾曲内面との間において、後中側湾曲壁部９２ｊの湾曲内面に沿うように下側前方へ湾曲状に案内される。
【０１４９】
ここで、後中側両湾曲壁部９２ｊの下縁部は、上述したごとく、上記所定の案内傾斜角度にて傾斜している。従って、上述のように後中側湾曲壁部９２ｊの湾曲内面に沿うように下側前方へ湾曲状に案内された各賞球は、当該後中側湾曲壁部９２ｊの下縁部上に沿い、互いに球圧を受けて球詰まりを生ずることなく、ケーシング９１の右側壁部９２ｆに向け円滑に移動しつつ前中側湾曲壁部９２ｈの上下方向中央部と後中側両湾曲壁部９２ｊ、９２ｇの境界部（後中側湾曲壁部９２ｊの下縁部及び後中側湾曲壁部９２ｇの上縁部からなる）との間を通り下方へ円滑に案内される(図１６（ａ）、図１４及び図２４参照）。
【０１５０】
ついで、上述のように案内された各賞球は、前中側湾曲壁部９２ｈの湾曲内面に沿うように下側後方へ湾曲状に案内される(図１６（ａ）、図１４及び図２４参照）。
【０１５１】
ここで、前中側湾曲壁部９２ｈの下縁部は、上述したごとく、上記所定の案内傾斜角度にて傾斜している。従って、上述のように案内された各賞球は、当該前中側湾曲壁部９２ｈの下縁部上に沿い、互いに球圧を受けて球詰まりを生ずることなく、ケーシング９１の右側壁部９２ｆに向け円滑に移動しつつ前中側両湾曲壁部９２ｈ、９２ｍの境界部（前中側湾曲壁部９２ｈの下縁部及び前中側湾曲壁部９２ｍの上縁部からなる）と後中側湾曲壁部９２ｇとの間を通り後中側湾曲壁部９２ｇの湾曲内面に沿うように下側前方へ湾曲状に円滑に案内されていく(図１６（ａ）、図１４及び図２４参照）。
【０１５２】
このようにして案内される各賞球は、整流通路部Ａｅを通り、出口部９２ｐから球通路ユニット１００に向けて送り出されていく（図１４及び図２４参照）。
【０１５３】
ここで、上述したごとく、整流通路部Ａｅは、分岐壁部９２ｅ側へ下方ほど狭い断面矩形状となるように末すぼまり状に形成されている。従って、主案内通路部Ａｃ内においてその各対向湾曲壁部の形状との関係で、各遊技球を前後に湾曲状に変位させながら下方へ落下させることによる遊技球の移動の乱れが生じても、各賞球を、当該乱れを良好に解消して、整流通路部Ａｅの内部における球詰まりを招くことなく、出口部９２ｐから球通路ユニット１００に向け円滑に送り出すことができる（図２４及び図２５参照）。
【０１５４】
以上のようにして球通路ユニット９０の出口部９２ｐから球通路ユニット１００に向けて送り出された各賞球は、球通路ユニット１００の主案内通路部１０１を通り出口部１０１ｂを介し球飛散防止機構１０６に送り出される。
【０１５５】
このとき、球飛散防止機構１０６は、その長手状傾動部材１０６ａにより、球通路ユニット１００の両出口部１０１ｂ、１０２ｂからの各遊技球の脱出を許容した状態にある。このため、上述のように球飛散防止機構１０６に送り出された各賞球は、当該球飛散防止機構１０６を通り、上皿５１内にその入口部５１ａから進入して、当該上皿５１の受皿部５１ｂに貯留される（図２４参照）。
【０１５６】
然る後、当該パチンコ遊技機の遊技状態が、例えば、上記アタッカーの大入賞口を所定回数開いて多数の遊技球を賞球として払い出す特別遊技状態になったときには、球タンクユニット６０内の多数の遊技球が、順次、上述と同様にして、球払い出しユニット７０により賞球として払い出されて、縦型通路ユニット８０の両球案内通路８１、８２を通り、球通路ユニット９０に向けて順次送り出される。
【０１５７】
そして、このように球通路ユニット９０に向けて順次送り出される各賞球は、上述と同様にして、順次、球通路ユニット９０の導入部Ａａ及び空間部Ａｂを通り主案内通路部Ａｃに向けて落下し、ついで、主案内通路部Ａｃ内において上述と同様にして球詰まりを招くことなく円滑に下方に向けて前後方向に湾曲状に案内されて球通路ユニット１００に円滑に送り出される。そして、このように送り出される各賞球は、球通路ユニット１００の主案内通路部１０１及び球飛散防止機構１０６を通り上皿５１の受皿部５１ｂに貯留されていく。
【０１５８】
このような過程において、賞球が、上皿５１にて満杯になり、然る後、球通路ユニット１００の主案内通路部１０１及び球通路ユニット９０の主案内通路部Ａｃの上端開口部に亘り満杯になると、その後に空間部Ａｂを通り落下する賞球は、順次、主案内通路部Ａｃの上端開口部にまで満杯となった賞球の上に落下することとなる（図２６及び図２７参照）。
【０１５９】
従って、このように主案内通路部Ａｃの上端開口部にまで満杯となった賞球の上に落下する各賞球は、分岐壁部９２ｅの上端部ｔ（図１４参照）よりも上方に位置するようになる。このため、このような各賞球は、分岐壁部９２ｅの上端部ｔを越えて副案内通路部Ａｄ側へ分岐されて、当該副案内通路部Ａｄの上端開口部内に進入していく（図２７にて矢印参照）。
【０１６０】
そして、このように副案内通路部Ａｄの上端開口部内に分岐されて進入する各賞球は、前中側湾曲壁部９２ｓの湾曲内面（球通路面）と後中側両湾曲壁部９２ｒ、９２ｕの各湾曲内面（球通路面）との間において、後中側湾曲壁部９２ｒの湾曲内面に沿うように下側前方へ湾曲状に案内される。
【０１６１】
ここで、後中側両湾曲壁部９２ｒの下縁部は、上述したごとく、上記所定の案内傾斜角度にて、後中側両湾曲壁部９２ｊの下縁部とは逆方向に傾斜している。従って、上述のように後中側湾曲壁部９２ｒの湾曲内面（球通路面）に沿うように下側前方へ湾曲状に案内された各賞球は、当該後中側湾曲壁部９２ｒの下縁部上に沿い、互いに球圧を受けて球詰まりを生ずることなく、ケーシング９１の左側壁部９２ｑに向け円滑に移動しつつ前中側湾曲壁部９２ｓの上下方向中央部と後中側両湾曲壁部９２ｒ、９２ｕの境界部（後中側湾曲壁部９２ｒの下縁部及び後中側湾曲壁部９２ｕの上縁部からなる）との間を通り下方へ円滑に案内される(図１６（ｂ）、図１４及び図２８参照）。
【０１６２】
ついで、このように案内された各賞球は、前中側湾曲壁部９２ｓの湾曲内面に沿うように下側後方へ湾曲状に案内される(図１６（ｂ）、図１４及び図２８参照）。
【０１６３】
ここで、前中側湾曲壁部９２ｓの下縁部は、上述したごとく、上記所定の案内傾斜角度にて、前中側湾曲壁部９２ｈの下縁部とは逆方向に傾斜している。従って、上述のように案内された各賞球は、当該前中側湾曲壁部９２ｓの下縁部上に沿い、互いに球圧を受けて球詰まりを生ずることなく、ケーシング９１の左側壁部９２ｑに向け円滑に移動しつつ前中側両湾曲壁部９２ｓ、９２ｗの境界部（前中側湾曲壁部９２ｓの下縁部及び前中側湾曲壁部９２ｗの上縁部からなる）と後中側湾曲壁部９２ｕとの間を通り後中側湾曲壁部９２ｕの湾曲内面に沿うように下側前方へ湾曲状に円滑に案内されていく(図１６（ｂ）、図１４及び図２８参照）。
【０１６４】
このようにして案内される各賞球は、整流通路部Ａｆを通り、出口部９２ｙから球通路ユニット１００に向けて送り出されていく（図１４及び図２８参照）。
【０１６５】
ここで、上述したごとく、整流通路部Ａｆは、図１４にて示すごとく、分岐壁部９２ｅ側へ下方ほど狭い断面矩形状となるように末すぼまり状に形成されている。従って、副案内通路部Ａｄ内においてその各対向湾曲壁部の形状との関係で、各遊技球を前後に湾曲状に変位させながら下方へ落下させることによる遊技球の移動の乱れが生じても、各賞球を、当該乱れを良好に解消して、整流通路部Ａｆｅの内部における球詰まりを招くことなく、出口部９２ｙから球通路ユニット１００に向け円滑に送り出すことができる（図２８参照）。  以上のようにして球通路ユニット９０の出口部９２ｙから球通路ユニット１００に向けて送り出された各賞球は、球通路ユニット１００の副案内通路部１０２を通り出口部１０２ｂを介し球飛散防止機構１０６に送り出される。
【０１６６】
このとき、球飛散防止機構１０６は、上述と同様に、その長手状傾動部材１０６ａにより、球通路ユニット１００の両出口部１０１ｂ、１０２ｂからの各遊技球の脱出を許容した状態にある。このため、上述のように球飛散防止機構１０６に送り出された各賞球は、当該球飛散防止機構１０６を通り、上皿５１の通路部５１ｄを経て出口部５１ｅから下皿５２に進入して貯留される。
【０１６７】
このような過程において、上述した特別遊技状態のもとに、賞球が、下皿５２にて満杯になり、然る後、球通路ユニット１００の副案内通路部１０２及び球通路ユニット９０の副案内通路部Ａｃの上端開口部に亘り満杯になり、さらには、空間部Ａｂから導入部Ａａを介し縦型通路ユニット８０の両球案内通路８１、８２のうち満タンセンサ１１０に対する各対応部位にかけて滞留するようになると、満タンセンサ１１０は、可動レバー１１１の押動面１１１ａにて、上述のように滞留した賞球により押動されて、オンする。
【０１６８】
このような状態は、上述のような賞球の滞留のため上記所定時間の間維持される。このことは、満タンセンサ１１０が、賞球が、下皿５２から上皿５１、球通路ユニット１００、球通路ユニット９０及び縦型通路ユニット８０の両球案内通路８１、８２のうち満タンセンサ１１０に対する各対応部位にかけて、換言すれば、上記両満タン判定経路に亘り、滞留して満タンになっていることを意味する。このため、上記制御回路が、満タンと判定する。
【０１６９】
これに伴い、例えば、上記画像表示器が、上記制御回路による満タンとの判定に基づき、下皿５２から遊技球を抜くように表示すれば、遊技者は、当該表示に基づき、下皿５２内の遊技球を抜く。すると、上述のように両満タン判定経路において滞留して満タンとなっていた多数の賞球が、上述と同様にして、順次、下皿５２内に貯留されていく。このような球抜き処理は、下皿５２内の遊技球が一杯になる毎に、繰り返される。
【０１７０】
ここで、球通路ユニット９０においては、主案内通路部Ａｃ内の各対向湾曲璧部の下縁部が、副案内通路部Ａｄ内の各対向湾曲璧部の下縁部に対し、上述したごとく、分岐壁部９２ｅから互いに逆向きに離れる方向に傾斜している。しかも、各対向湾曲璧部の幅は、遊技球の外径の２倍よりも大きく３倍よりも小さな値に設定されている。
【０１７１】
このため、下皿５２内の球抜きがなされるごとに、上記両満タン判定経路に亘り滞留して満タンとなっている多数の賞球が、上述と同様に、副案内通路部Ａｄ内における球詰まりを未然に防止しつつ、円滑に下皿５２内に進入することができる。このようなことは、主案内通路部Ａｃ内においても同様である。このことは、上述のように満タンになっても、下皿５２等から球抜きをすれば、球通路ユニット９０内において球詰まりを生ずることなく、賞球を円滑に下皿５２等へ送り出すことができることを意味する。
【０１７２】
また、上述したように、満タンセンサ１１０を、通路ユニット８０と共に、いわゆる内枠である遊技機本体Ｂａの本体枠ＢＦに配設し、かつ、当該満タンセンサ１１０を通路ユニット８０の両球案内通路８１、８２の長手方向中間部位に設けるようにした。
【０１７３】
このため、賞球は、下皿５２と球通路ユニット９０との間において滞留だけでなく、球通路ユニット９０の内部及び通路ユニット８０の両球案内通路８１、８２のうち満タンセンサ１１０に対する各対応部位にまで滞留したときに、初めて満タンと判定される。
【０１７４】
従って、遊技球が満タンになるまでの当該パチンコ遊技機における貯留数を大幅に増大することができ、その結果、遊技者が球抜きを急ぐ気持ちを緩和することができるのは勿論のこと、近年、ホールの大型化が進んでいても、球抜きに要するドル箱の交換までに要する時間を長くすることができ、その結果、ドル箱の交換を急ぐというような負担を軽減することができる。
【０１７５】
さらには、下皿５２から通路ユニット８０の両球案内通路８１、８２のうち満タンセンサ１１０に対する各対応部位までの距離が長くなるので、遊技者が遊技球を満タンにしてしまう頻度を減少させることができ、その結果、特賞遊技中やいわゆる電動チューリップによるサポート遊技中における出球管理異常が起こり難くなる。
【０１７６】
以上のような球抜き過程を経て、上皿５１内に遊技に必要な遊技球が残る程度になると、上述のように球詰まりのない状態において、遊技者は、再び、遊技を円滑に開始することとなる。
【０１７７】
以上説明したように、本実施形態によれば、球通路ユニット９０においては、導入部Ａａにその上側入口部９２ａから賞球として導入される各遊技球は、当該導入部Ａａの下側開口部から空間部Ａｂを通り、順次、落下して、主案内通路部Ａｃにより受承される。このとき、主案内通路部Ａｃは、空間部Ａｂを介し導入部Ａａの下側開口部に対向するように当該導入部Ａａから空間部Ａｂを介し下方へ延出しているから、上述のように落下する各遊技球は、副案内通路部Ａｄ側へ分岐されることなく、主案内通路部Ａｃにより受承される。
【０１７８】
これに対しては、段差壁部９２ｚが空上述のように間部Ａｂ内にて突出形成されているため、空間部Ａｂ内にて主案内通路部Ａｃの他側上湾曲壁部９２ｊの下縁部上に積み重なって滞留する遊技球は、段差壁部９２ｚにより副案内通路部Ａｄ側へ押し出されるようにして崩されて当該副案内通路部Ａｄ内に分岐していく。
【０１７９】
従って、空間部Ａｂ内に落下する各遊技球は、当該空間部Ａｂ内にて球詰まりを生ずることなく、主案内通路部Ａｃ及び副案内通路部Ａｄ内に送られ得る。
【０１８０】
ここで、主案内通路部Ａｃにおいては、一側湾曲璧部９２ｈが、分岐壁部９２ｅから離れる方向へ下方に向けて縦断面凸状に形成されており、当該一側湾曲璧部９２ｈの下縁部は、分岐壁部９２ｅから離れる方向へ下方に向けて所定の案内傾斜角度にて傾斜している。
【０１８１】
また、主案内通路部Ａｃにおいては、他側上下湾曲壁部９２ｊ、９２ｇが、一側湾曲璧部９２ｈ側に対し縦断面凹状に対向するように上下に連結されており、当該他側上下湾曲壁部９２ｊ、９２ｇの上湾曲壁部９２ｊの下縁部は、下湾曲壁部９２ｇの上縁部と共に、一側湾曲壁部９２ｈの上下方向中央部に対向し、分岐壁部９２ｅから離れる方向に上記所定の案内傾斜角度にて下方に向けて傾斜している。
【０１８２】
従って、上述のように主案内通路部Ａｃに順次受承される各遊技球は、主案内通路部Ａｃ内にて、上湾曲壁部９２ｊの湾曲内面に沿い下方へ落下しつつ当該上湾曲壁部９２ｊの下縁部上に沿いその傾斜方向に移動しながら下方へ案内され、ついで、一側湾曲壁部９２ｈの湾曲内面に沿い下方へ落下しつつ当該一側湾曲壁部９２ｈの下縁部上に沿いその傾斜方向に移動しながらさらに下方へ案内される。このことは、主案内通路部Ａｃに順次受承される各遊技球が多くても、当該各遊技球は、上湾曲壁部９２ｊの湾曲形状及び一側湾曲壁部９２ｈの湾曲形状のもと、上記所定の案内傾斜角度に基づき球詰まりを生ずることなく主案内通路部Ａｃ内にて円滑に案内されることを意味する。
【０１８３】
また、主案内通路部Ａｃに受承される遊技球が多くなって主案内通路部Ａｃの上端開口部に滞留するようになると、各滞留遊技球が、分岐壁部９２ｅの上端部ｔを介して分岐し副案内通路部Ａｄ内に進入するようになる。
【０１８４】
ここで、副案内通路部Ａｄの一側湾曲壁部９２ｓ及び他側上下湾曲壁部９２ｒ、９２ｕは、主案内通路部Ａｃの一側湾曲壁部９２ｈ及び他側上下湾曲壁部９２ｊ、９２ｇと同様に湾曲状に形成されており、他側上下湾曲壁部９２ｒ、９２ｕの上湾曲壁部９２ｒの下縁部及び一側湾曲壁部９２ｓの下縁部は、主案内通路部Ａｃの一側湾曲壁部９２ｈの下縁部及び上湾曲壁部９２ｊの下縁部とは分岐壁部９２ｅから反対方向に離れる方向に傾斜している。
【０１８５】
従って、上述のように副案内通路部Ａｄに順次進入する各遊技球は、副案内通路部Ａｄ内にて、上湾曲壁部９２ｒの湾曲内面に沿い下方へ落下しつつ当該上湾曲壁部９２ｒの下縁部上に沿いその傾斜方向に移動しながら下方へ案内され、ついで、一側湾曲壁部９２ｓの湾曲内面に沿い下方へ落下しつつ当該一側湾曲壁部９２ｓの下縁部上に沿いその傾斜方向に移動しながらさらに下方へ案内される。このことは、副案内通路部Ａｄに分岐される各遊技球が多くても、当該各遊技球は、上湾曲壁部９２ｒの湾曲形状及び一側湾曲壁部９２ｓの湾曲形状のもと、上記所定の案内傾斜角度に基づき球詰まりを生ずることなく副案内通路部Ａｄ内にて円滑に案内されることを意味する。
【０１８６】
以上によれば、空間Ａｂ部内に落下する遊技球が多くても、これら遊技球は、空間部Ａｂ内における段差壁部９２ｚの球崩し作用に基づき、空間部Ａｂ内にて球詰まりを生ずることなく、主案内通路部Ａｃ及び副案内通路部Ａｄに送られ、さらに、当該主案内通路部Ａｃ及び副案内通路部Ａｄの上記各構成のもと、主案内通路部Ａｃ及び副案内通路部Ａｄ内にて球詰まりを生ずることなく、円滑に下方へ案内され得る。
【０１８７】
ここで、上述したごとく、段差壁部９２ｚは、傾斜状下縁部Ｚ１にて、主案内通路部Ａｃの後中側湾曲壁部９２ｊの下縁部よりも所定の高さだけ、例えば、遊技球の外径の複数倍の値だけ、上方に位置するように空間部Ａｂの右上側壁部を構成する壁部位に形成されるとともに、突出端面Ｚ２にて、所定の厚さだけ、例えば、遊技球の外径の半分未満の値だけ、空間部Ａｂの右上側壁部を構成する壁部位の内面から副案内通路部Ａｄ側へ突出するように形成されている。
【０１８８】
これにより、各遊技球が空間部Ａｂ内において主案内通路部Ａｃの他側上湾曲壁部の下縁部上に積み重なって滞留しても、当該各遊技球のうち段差壁部９２ｚの傾斜状下縁部よりも上側に積み重なる遊技球は、段差壁部９２ｚにより副案内通路部Ａｄ側へ押し出されるようにして良好に崩されて当該副案内通路部Ａｄ内に分岐され得る。従って、空間部Ａｂ内に落下する各遊技球が、当該空間部Ａｂ内にて球詰まりを生ずることはない。
【０１８９】
ここで、本実施形態においては、球通路ユニット９０の導入部Ａａは、主案内通路部ａＣの上湾曲壁部９２ｊの下縁部及び下湾曲壁部９２ｇの上縁部と同一方向に傾斜している。
【０１９０】
これにより、導入部Ａａ内に導入される各遊技球は、当該導入部Ａａ内にて主案内通路部Ａｃの上湾曲壁部９２ｊの下縁部及び下湾曲壁部９２ｇの上縁部と同一方向に移動するので、当該各遊技球は、副案内通路部Ａｄ側へ落下することなく、確実に、導入部Ａａの下側開口部から主案内通路部Ａｃ内に落下し得る。
【０１９１】
また、本実施形態では、球通路ユニット９０において、上述したごとく、主案内通路部Ａｃ及び副案内通路部Ａｄは、それぞれ、その各湾曲壁部の傾斜方向長さにて、遊技球の外径の２倍よりも大きく３倍よりも小さな値に設定されている。従って、主案内通路部Ａｃ及び副案内通路部Ａｄ内にて傾斜状に移動する各遊技球は、上記所定の案内傾斜角度と相俟って、相互に球圧を受けることなく、円滑に移動することができる。
【０１９２】
また、本実施形態では、球通路ユニット９０において、主案内通路部Ａｃは、導入部Ａａの下側開口部から落下する各遊技球を分岐壁部９２ｅの上端部ｔの近傍にて受承するように、導入部Ａａの下側開口部に対向して形成されており、一方、主案内通路部Ａｃの上側湾曲壁部９２ｊは、その下縁部にて、副案内通路部Ａｄの上側湾曲壁部９２ｒの下縁部よりも下側に位置するように形成されている。また、分岐壁部９２ｅは、その上端部にて、遊技球の外径未満の長さにて、副案内通路部Ａｄの上側湾曲壁部９２ｒの下縁部よりも上方に突出するように形成されている。
【０１９３】
従って、主案内通路部Ａｃの上側湾曲壁部９２ｊの下縁部が、副案内通路部Ａｄの上側湾曲壁部９２ｒの下縁部よりも下側に位置し、かつ、分岐壁部９２ｅの上端部ｔが、遊技球の外径未満の長さにて、副案内通路部Ａｄの上側湾曲壁部９２ｒの下縁部よりも上方に突出しているから、各遊技球が、分岐壁部９２ｅの上端部ｔの近傍にて受承されるように、導入部Ａａの下側開口部から上側湾曲壁部９２ｊの下縁部上に落下しても、当該各遊技球は、分岐壁部９２ｅの上端部ｔを越えて、副案内通路部Ａｄ側へ分岐されることなく、主案内通路部Ａａにより確実に受承され得る。
【０１９４】
本実施形態では、上述のような構成の球通路ユニット９０を採用することにより、多数の賞球が中空状球案内通路の内部に充満状態に滞留しても、当該中空状球案内通路の下方で滞留している賞球が、例えば、受け皿内の遊技球を抜くことで、下方へ移動すれば、空間部内に落下する賞球が多くても、これら賞球は、空間部内における段差壁部の球崩し作用に基づき、空間部内にて球詰まりを生ずることなく、主案内通路部及び副案内通路部に送られ、さらに、主案内通路部や副案内通路部の内部に滞留している賞球が、主案内通路部の内部や副案内通路部の内部においてその湾曲壁部の湾曲方向や当該湾曲壁部の下縁部の傾斜方向に、球詰まりを生ずることなく、円滑に移動して下方へ案内されて、上皿５１及び下皿５２に送られ得る。
【０１９５】
なお、本発明の実施にあたり、上記実施形態にて述べた主案内通路部Ａｃの前中側両湾曲壁部９２ｈ、９２ｍ及び後中側両湾曲壁部９２ｊ、９２ｇ、並びに副案内通路部Ａｄの前中側両湾曲壁部９２ｓ、９２ｗ及び後中側両湾曲壁部９２ｒ、９２ｕは、それぞれ、上記実施形態にて述べた湾曲形状に限ることなく、折れ曲がり形状の屈曲部であってもよく、一般的には、突出形状の突出部であってもよい。
【０１９６】
また、本発明の実施にあたり、上下方向に長手中空状に延在するように形成されて上側入口部（９２ａ）から進入する各遊技球を下方に向けて案内する球通路ユニットにおいて、
上記上側入口部から各遊技球を導入する導入部（Ａａ）と、
この導入部から空間部（Ａｂ）を介し下方に向けて延出する中空状球案内通路部（９２）とを備えて、
当該中空状球案内通路部は、
上記導入部からその下側開口部に対向するように上記空間部を介し下方へ延出されて上記導入部の上記下側開口部から上記空間部を通り下方へ落下する各遊技球を下方に向けて案内するように受承する主案内通路部（Ａｃ）と、
上記主案内通路部に分岐壁部（９２ｅ）を介し並行に沿うように上記導入部から上記空間部を介し下方に向け延出されて上記主案内通路部における受承遊技球の過剰に伴い当該過剰遊技球を上記主案内通路部から分岐させて下方に向けて案内するように受承する副案内通路部（Ａｄ）とを備えて、
上記主案内通路部は、
その周壁部（９２ｃ、９２ｄ、９２ｆ、９２ｅ）のうち上記分岐壁部の幅方向にて対向する両対向壁部（９２ｃ、９２ｄ）の一方の対向壁部（９２ｃ）にて、他方の対向壁部（９２ｄ）から離れる方向に向け縦断面湾曲凸状となるように形成される一側湾曲壁部であって、その下縁部にて上記分岐壁部から離れる方向へ下方に向けて所定の傾斜角にて傾斜する一側湾曲壁部（９２ｈ）として形成されるとともに、
当該一側湾曲壁部（９２ｈ）から離れる方向に向け縦断面湾曲凸状となるように、上記他方の対向壁部にて上下に連結形成される他側上下湾曲壁部であって、その上湾曲壁部（９２ｊ）の下縁部にて上記下湾曲壁部（９２ｇ）の上縁部とともに上記一側湾曲壁部の上下方向中央部に対向する他側上下湾曲壁部（９２ｊ、９２ｇ）として形成されており、
当該他側上下湾曲壁部は、その上湾曲壁部の前記下縁部にて、上記下湾曲壁部の上記上縁部と共に、上記分岐壁部から離れる方向に前記所定の案内傾斜角度にて下方に向けて傾斜しており、
上記空間部は、その上記主案内通路部側壁部のうち上記他側上湾曲壁部（９２ｊ）の下縁部の直上壁部位にて、この直上壁部位の内側に向け、上記主案内通路部の受承遊技球を滞留させないように、突出する段差壁部（９２ｚ）を形成してなるようにしてもよい。
【０１９７】
このような構成によれば、導入部にその上側入口部から導入される各遊技球は、当該導入部の下側開口部から空間部を通り、順次、落下して、主案内通路部により受承される。このとき、主案内通路部は、空間部を介し導入部の下側開口部に対向するように当該導入部から空間部を介し下方へ延出しているから、上述のように落下する各遊技球は、副案内通路部側へ分岐されることなく、主案内通路部により受承される。このとき、主案内通路部により受承される遊技球が多いと、これらの遊技球は、主案内通路部の他側上湾曲壁部の下縁部上に上方に向けて積み重なって滞留する。
【０１９８】
これに対しては、上述のように段差壁部が空間部内にて突出されているため、空間部内にて主案内通路部の他側上湾曲壁部の下縁部上に積み重なって滞留する遊技球は、段差壁部により副案内通路部側へ押し出されるようにして崩されて当該副案内通路部内に分岐していく。
【０１９９】
従って、空間部内に落下する各遊技球は、当該空間部内にて球詰まりを生ずることなく、主案内通路部及び副案内通路部内に送られ得る。
【０２００】
ここで、主案内通路部においては、一側湾曲璧部が、分岐壁部から離れる方向へ下方に向けて縦断面湾曲凸状に形成されており、当該一側湾曲璧部の下縁部は、分岐壁部から離れる方向へ下方に向けて所定の案内傾斜角度にて傾斜している。
【０２０１】
また、主案内通路部においては、他側上下湾曲壁部が、一側湾曲壁部から離れる方向に向け縦断面湾曲凸状となるように、他方の対向壁部にて上下に連結形成されており、当該他側上下湾曲壁部の上湾曲壁部の下縁部は、下湾曲壁部の上縁部と共に、一側湾曲壁部の上下方向中央部に対向し、分岐壁部から離れる方向に上記所定の案内傾斜角度にて下方に向けて傾斜している。
【０２０２】
従って、上述のように主案内通路部に順次受承される各遊技球は、主案内通路部内にて、上湾曲壁部の湾曲内面に沿い下方へ落下しつつ当該上湾曲壁部の下縁部上に沿いその傾斜方向に移動しながら下方へ案内され、ついで、一側湾曲壁部の湾曲内面に沿い下方へ落下しつつ当該一側湾曲壁部の下縁部上に沿いその傾斜方向に移動しながらさらに下方へ案内される。このことは、主案内通路部に順次受承される各遊技球が多くても、当該各遊技球は、上湾曲壁部の湾曲形状及び一側湾曲壁部の湾曲形状のもと、上記所定の案内傾斜角度に基づき球詰まりを生ずることなく主案内通路部内にて円滑に案内されることを意味する。
【０２０３】
以上によれば、多数の遊技球が中空状球案内通路の内部に充満状態に滞留しても、当該中空状球案内通路の下方で滞留している遊技球が、例えば、受け皿内の遊技球を抜くことで、下方へ移動すれば、空間部内に落下する遊技球が多くても、これら遊技球は、空間部内における段差壁部の球崩し作用に基づき、空間部内にて球詰まりを生ずることなく、主案内通路部及び副案内通路部に送られ、さらに、主案内通路部内に滞留している遊技球が、当該主案内通路部の内部においてその湾曲壁部の湾曲方向や当該湾曲壁部の下縁部の傾斜方向に、球詰まりを生ずることなく、円滑に移動して下方へ案内され得る。なお、副案内通路部内に滞留している遊技球も下方へ案内され得る。
【０２０４】
ここで、上記副案内通路部の周壁部（９２ｃ、９２ｄ、９２ｑ、９２ｅ）は、その上記分岐壁部の幅方向にて対向する両対向壁部（９２ｃ、９２ｄ）の一方の対向壁部（９２ｃ）にて、その他方の対向壁部（９２ｄ）から離れる方向に向け縦断面湾曲凸状となるように形成される一側湾曲壁部であって、その下縁部にて上記分岐壁部から上記主案内通路部の上記一側湾曲壁部とは反対方向に離れるように下方に向けて上記所定の案内傾斜角度にて傾斜する一側湾曲壁部（９２ｓ）として形成されており、
上記副案内通路部の上記他方の対向壁部は、上記副案内通路部の上記一側湾曲壁部（９２ｓ）から離れる方向に向け縦断面湾曲凸状となるように上下に連結形成される他側上下湾曲壁部であって、その上湾曲壁部（９２ｒ）の下縁部にて上記下湾曲壁部（９２ｕ）の上縁部と共に上記副案内通路部の上記一側湾曲壁部の上記上下方向中央部に対向する他側上下湾曲壁部（９２ｒ、９２ｕ）として形成されており、
上記副案内通路部の上記他側上下湾曲壁部は、その上湾曲壁部（９２ｒ）の上記下縁部にて、上記下湾曲壁部の上記上縁部と共に、上記分岐壁部から上記主案内通路部の上記他側上下湾曲壁部とは反対方向へ離れるように上記所定の案内傾斜角度にて下方に向けて傾斜していてもよい。
【０２０５】
このような構成によれば、主案内通路部に受承される遊技球が多くなると、各遊技球が、段差壁部の球崩し作用のもと、分岐壁部の上端部を介して分岐し副案内通路部内に進入する。
【０２０６】
ここで、副案内通路部の一側湾曲壁部及び他側上下湾曲壁部は、主案内通路部の一側湾曲壁部及び他側上下湾曲壁部と同様に湾曲状に形成されており、他側上下湾曲壁部の上湾曲壁部の下縁部及び一側湾曲壁部の下縁部は、主案内通路部の一側湾曲壁部の下縁部及び上湾曲壁部の下縁部とは分岐壁部から反対方向に離れる方向に傾斜している。
【０２０７】
従って、上述のように副案内通路部に順次進入する各遊技球は、副案内通路部内にて、上湾曲壁部の湾曲内面に沿い下方へ落下しつつ当該上湾曲壁部の下縁部上に沿いその傾斜方向に移動しながら下方へ案内され、ついで、一側湾曲壁部の湾曲内面に沿い下方へ落下しつつ当該一側湾曲壁部の下縁部上に沿いその傾斜方向に移動しながらさらに下方へ案内される。このことは、副案内通路部に分岐される各遊技球が多くても、当該各遊技球は、上湾曲壁部の湾曲形状及び一側湾曲壁部の湾曲形状のもと、上記所定の案内傾斜角度に基づき球詰まりを生ずることなく副案内通路部内にて円滑に案内されることを意味する。
【０２０８】
このため、副案内通路部の上記構成のもと、当該副案内通路部内にても球詰まりを生ずることなく、円滑に下方へ案内されるとともに、副案内通路部により下方へ案内され得る。
【０２０９】
これにより、多数の遊技球が中空状球案内通路の内部に充満状態に滞留しても、当該中空状球案内通路の下方で滞留している遊技球が、例えば、受け皿内の遊技球を抜くことで、下方へ移動すれば、空間部内に落下する遊技球が多くても、これら遊技球は、空間部内における段差壁部の球崩し作用に基づき、空間部内にて球詰まりを生ずることなく、主案内通路部及び副案内通路部に送られ、さらに、主案内通路部や副案内通路部の内部に滞留している遊技球が、主案内通路部の内部や副案内通路部の内部においてその湾曲壁部の湾曲方向や当該湾曲壁部の下縁部の傾斜方向に、球詰まりを生ずることなく、円滑に移動して下方へ案内され得る。
【０２１０】
また、上記段差壁部は、その下縁部（Ｚ１）にて、上記主案内通路部の上記他側上湾曲壁部（９２ｊ）の下縁部よりも所定の高さだけ上方に位置するように上記空間部の上記直上壁部位に形成されていてもよい。
【０２１１】
これにより、各遊技球が空間部内において主案内通路部の他側上湾曲壁部の下縁部上に積み重なって滞留しても、当該各遊技球のうち段差壁部の下縁部よりも上側に積み重なる遊技球は、段差壁部により副案内通路部側へ押し出されるようにして崩されて当該副案内通路部内に分岐していく。
【０２１２】
従って、空間部内に落下する各遊技球が、当該空間部内にて球詰まりを生ずることなく、主案内通路部及び副案内通路部内に送られて、当該主案内通路部及び副案内通路部により球詰まりを招くことなく下方へ良好に案内され得る。その結果、請求項１または２に記載の発明の作用効果がより一層向上され得る。
【０２１３】
また、上記段差壁部は、その突出端面（Ｚ２）にて、所定の厚さだけ、上記空間部の上記直上壁部位の内面から上記副案内通路部側へ突出するように形成されていてもよい。
【０２１４】
これにより、上述のように段差壁部の下縁部よりも上側に積み重なる遊技球を、段差壁部により副案内通路部側へより一層確実に押し出して崩すことができる。
【符号の説明】
【０２１５】
ａ…導入部、Ａｂ…空間部、Ａｃ…主案内通路部、Ａｄ…副案内通路部、
Ｂａ…遊技機本体、ＢＦ…本体枠、ＦＤ…前扉、Ｚ１…傾斜状下縁部、Ｚ２…突出端面、
５２…下皿、６１…球タンク、７３…球払い出し装置、９０…球通路ユニット、
９２ａ…上側入口部、９２ｃ…前側壁部、９２ｄ…後側壁部、９２ｆ…右側壁部、
９２ｅ…分岐壁部、９２ｑ…左側壁部、９２ｚ…段差壁部。
【図１】
0005726611.tif 000002
【図２】
0005726611.tif 000003
【図３】
0005726611.tif 000004
【図４】
0005726611.tif 000005
【図５】
0005726611.tif 000006
【図６】
0005726611.tif 000007
【図７】
0005726611.tif 000008
【図８】
0005726611.tif 000009
【図９】
0005726611.tif 000010
【図１０】
0005726611.tif 000011
【図１１】
0005726611.tif 000012
【図１２】
0005726611.tif 000013
【図１３】
0005726611.tif 000014
【図１４】
0005726611.tif 000015
【図１５】
0005726611.tif 000016
【図１６】
0005726611.tif 000017
【図１７】
0005726611.tif 000018
【図１８】
0005726611.tif 000019
【図１９】
0005726611.tif 000020
【図２０】
0005726611.tif 000021
【図２１】
0005726611.tif 000022
【図２２】
0005726611.tif 000023
【図２３】
0005726611.tif 000024
【図２４】
0005726611.tif 000025
【図２５】
0005726611.tif 000026
【図２６】
0005726611.tif 000027
【図２７】
0005726611.tif 000028
【図２８】
0005726611.tif 000029